(57)【特許請求の範囲】
【請求項１】
洋式便器の開口部を開閉する便蓋と、前記洋式便器の上面後部に配設され前記便蓋を支持する本体とを有する便蓋装置であって、
前記便蓋は、前記開口部の蓋部分から延出形成され、前記本体に支持される便蓋側支持部を有し、
前記本体は、前記便蓋が前記開口部を開閉するよう前記便蓋側支持部を回転自在に支持し、前記便蓋を上下回転可能とする本体側支持部と、
前記本体は、洋式便器に着座した使用者の局部洗浄に関与する機能部品とを有し、
前記本体側支持部は、その上部形状が前記便蓋側支持部の回転中心軸と同心の円弧形状とされていると共に、前記円弧形状とされた前記上部形状部分において、前記便蓋の開閉範囲と合致する開閉合致領域に、前記機能部品の状態を表示する表示部を有することを特徴とする便蓋装置。
【請求項２】
請求項１に記載の便蓋装置において、
前記本体側支持部は、前記円弧形状とされた前記上部形状部分における前記開閉合致領域に、前記表示部を覆う光透過性の外壁部材を有する、便蓋装置。
【請求項３】
請求項２に記載の便蓋装置において、
前記外壁部材は前記開閉合致領域に着脱自在とされている、便蓋装置。
【請求項４】
請求項１に記載の便蓋装置において、
前記本体側支持部は、前記円弧形状とされた前記上部形状部分における前記開閉範囲と合致する開閉合致領域に、前記洋式便器前方での使用者の起立もしくは着座を非接触で検出する使用者検出センサを有する、便蓋装置。
【請求項５】
請求項４に記載の便蓋装置において、
前記使用者検出センサは、光電センサ、超音波センサのいずれかである、便蓋装置。
【請求項６】
請求項１ないし請求項５いずれかに記載の便蓋装置において、
洋式便器の開口部上縁に重なる便座部分と、当該部分から延出形成された便座側支持部とを有する便座を備え、
前記本体側支持部は、前記便座側支持部を同一の回転軸で前記便蓋側支持部と共に回転自在に支持し、前記便座を前記便蓋とは別個に上下回転可能とする、便蓋装置。
【請求項７】
請求項６に記載の便蓋装置において、
前記本体側支持部は、閉状態にある前記便蓋の蓋部上面より上方に前記回転軸が位置するよう、前記本体の後端側に形成され、
前記便座は、前記便座側支持部を前記便座部分から上方に湾曲して連続傾斜するよう延出して有する、便蓋装置。
【発明の詳細な説明】
【０００１】
【発明の属する技術分野】
本発明は、洋式便器の開口部を開閉する便蓋と、洋式便器の上面後部に配設され便蓋を支持する本体とを有する便蓋装置に関する。
【０００２】
【従来の技術】
従来から、洋式便器には、その開口部を開閉する便蓋を備え付けることが一般的であり、この便蓋は、便器上面後部に配設された本体に回転自在に支持されている。そして、この便蓋と本体を有する便蓋装置は、便蓋を閉じることにより便器ボール部を閉鎖し、ボール部内の悪臭を外部に漏れないようにしている。また、便蓋を開けることにより便器ボール部の開口部を開放し、通常の用便行為を可能とする。
【０００３】
ところで、このような便蓋装置にあっては、便蓋の回転（開閉）に支障が起きないよう、本体と対向する便蓋側部分に大きく窪んだいわゆる削り部分を設け、本体と便蓋との干渉を回避していた。あるいは、本体側の便蓋支持部分を傾斜させたりして、本体側に削り部分を設けることもあった。
【０００４】
【発明が解決しようとする課題】
しかしながら、この削り部分の形成に当たっては、便蓋との干渉回避しか考慮されることがなかったため、便蓋を閉じた際、本体と便蓋との間に大きな隙間が残されたままであった。このため、この隙間部分に汚れが溜まって清掃性が悪いばかりでなく、本体と便蓋の形状的な統一性がなく意匠性を損ねていた。
【０００５】
つまり、従来の装置は、回転する便蓋と本体との干渉を防止し、便蓋の回転機能性は確保していたものの、閉じた便蓋と本体との隙間に関する清掃性・意匠性に欠けていた。
【０００６】
本発明は、これらの課題を解決するためになされたものであり、便蓋の回転機能性と清掃性・意匠性との両方を満足する便蓋装置を提供することを目的とする。
【０００７】
【課題を解決するための手段およびその作用・効果】
かかる課題の少なくとも一部を解決するため、本発明の便蓋装置は、
洋式便器の開口部を開閉する便蓋と、前記洋式便器の上面後部に配設され前記便蓋を支持する本体とを有する便蓋装置であって、
前記便蓋は、前記開口部の蓋部分から延出形成され、前記本体に支持される便蓋側支持部を有し、
前記本体は、前記便蓋が前記開口部を開閉するよう前記便蓋側支持部を回転自在に支持し、前記便蓋を上下回転可能とする本体側支持部と、
前記本体は、洋式便器に着座した使用者の局部洗浄に関与する機能部品とを有し、
前記本体側支持部は、その上部形状が前記便蓋側支持部の回転中心軸と同心の円弧形状とされていると共に、前記円弧形状とされた前記上部形状部分において、前記便蓋の開閉範囲と合致する開閉合致領域に、前記機能部品の状態を表示する表示部を有することを特徴とする。
【０００８】
上記構成を有する本発明の便蓋装置では、本体の本体側支持部で便蓋側支持部を回転自在に支持することで、本体を介して便蓋を洋式便器上面に配設する。この便蓋は、便蓋側支持部の回転中心軸を中心に上下に回転して蓋部分により洋式便器の開口部を開閉し、閉状態では洋式便器内の悪臭を閉じ込め、開状態では、通常の用便行為を可能にする。このように便蓋が回転する場合、本体側支持部に対向する便蓋部位、即ち便蓋側支持部の側の蓋部分を始めとする便蓋各部位は、上記の回転中心軸を中心とする円弧軌跡で上下に回転移動する。そして、本体側支持部の上部は、その形状が便蓋側支持部の回転中心軸と同心の円弧形状とされているので、本体側支持部に対向する便蓋部位（蓋部分）の円弧軌跡に亘って当該便蓋部位と干渉することはない。よって、本体・便蓋のいずれにも従来のような傾斜したり窪んだりした削り部分を必要としない。しかも、円弧形状をした本体側支持部の上部と上記の円弧軌跡で回転移動する便蓋部位との間には、ごく僅かな隙間が存在すればよいことから、閉状態にある便蓋の蓋部分と本体側支持部との間には隙間がほとんど発生しない。
【０００９】
このため、隙間部分に汚れが溜まりにくくできるので、清掃性を向上できると共に、本体と便蓋の形状的な統一性を採ることができ意匠性を高めることもできる。つまり、回転する便蓋と本体との干渉を防止し、便蓋の回転機能性を確保しつつ、閉じた便蓋と本体との隙間に関する清掃性・意匠性も高めることができ、高い製品価値を発揮することができる。なお、本発明にいう円弧形状には、楕円形状が含まれるものとし、このような楕円形状を採る場合は、便蓋側支持部の回転中心軸を楕円の長軸上に位置させたり、便蓋の開状態と閉状態とで便蓋の蓋部分と本体側支持部との間の隙間がほぼ同じとなるよう便蓋側支持部の回転中心軸を定めればよい。
【００１０】
上記の構成を有する本発明の便蓋装置は、前記本体側支持部を、前記円弧形状とされた前記上部形状部分において、前記便蓋の開閉範囲と合致する開閉合致領域に、前記機能部品の状態を表示する表示部を有する。この円弧形状とされた本体側支持部の上部形状部分では、便蓋の開閉範囲と合致する開閉合致領域は、便蓋が開状態であっても閉状態であってもこの便蓋によって塞がれることがなく常時外部に露出した領域となるので、使用者により常時視認され得る。よって、使用者は、この開閉合致領域の表示部により局部洗浄に関与する機能部品の状態を便蓋の開閉によらず視認することができる。そして、この表示部を光透過性の外壁部材で覆うようにすれば、当該表示部への水濡れ等を防止でき、機器損傷回避の点からも好ましい。また、この外壁部材の下方、即ち、本体側支持部の内部から光を発光させることにより、使用者にインパクトを与えたり、高級感といった光演出を図ることができる。なお、上記の開閉合致領域を便蓋の開閉範囲と合致させるに当たっては、開閉合致領域が便蓋の開閉範囲と完全に合致する場合の他、開閉合致領域が便蓋の開閉範囲に含まれる場合も含む。
【００１１】
また、前記外壁部材を前記開閉合致領域に着脱自在とすることもできる。こうすれば、本体側支持部並びに本体を共通としながら、光透過性の外壁部材を有する製品シリーズとこれを有しない製品シリーズとを設定でき、購買者の選択枝を広げることができる。
【００１２】
また、光透過性の前記外壁部材と前記本体とを、同等の強度を有する材料を用いて形成されているものとすることができる。こうすれば、その取り扱いにおいて破損等に関する特段の注意が不要となり好ましい。しかも、本体を外壁部材と同じ材料に着色剤を配合して不透明なものとできることから、使用材料の共通化を通して、製品コストの削減やリサイクル効率の向上を図ることができるといった製造上の利点がある。
【００１３】
また、光透過性の前記外壁部材を、材料としてポリプロピレンを用いるものとすることができる。こうすれば、薬品性に優れることから、便器清掃の際に強酸性の薬剤が誤って付着・残存したままでも劣化を抑制することができる。
【００１４】
また、前記本体側支持部を、前記円弧形状とされた前記上部形状部分において、前記便蓋の開閉範囲と合致する開閉合致領域に、前記洋式便器前方での使用者の起立もしくは着座を非接触で検出する使用者検出センサを有するものとすることができる。こうすれば、便蓋の開閉状態に拘わらずこの便蓋によって塞がれることがない開閉合致領域で、使用者起立もしくは着座を検出するので、その検出精度並びに検出信頼性を高めることができる。
【００１５】
この場合、前記使用者検出センサを、光電センサ、超音波センサのいずれかとすることができる。こうすれば、センサデバイスの入手や調整・保守が容易となり、好ましい。光電センサは、反射型でも透過型でもよく、透過型の場合には、センサと対向するトイレ内壁等に、センサに指向して光を発する発光器を設置すればよい。
【００１９】
また、洋式便器の開口部上縁に重なる便座部分と、当該部分から延出形成された便座側支持部とを有する便座を備え、
前記本体側支持部を、前記便座側支持部を同一の回転軸で前記便蓋側支持部と共に回転自在に支持し、前記便座を前記便蓋とは別個に上下回転可能とするものとすることができる。
こうすれば、便座を含めて意匠性を高めることができる。
【００２０】
この場合、前記本体側支持部を、閉状態にある前記便蓋の蓋部上面より上方に前記回転軸が位置するよう、前記本体の後端側に形成されたものとし、
前記便座は、前記便座側支持部を前記便座部分から上方に湾曲して連続傾斜するよう延出して有するものとすることができる。
こうすれば、便座部分から便座側支持部にかけての延出部分を湾曲して連続傾斜させるので、便座への着座使用者に違和感を与えないと共に、本体側支持部を本体の後端側として便座の後部側を広くできることと相俟って、着座感を高めることができる。
【００２１】
また、前記本体を、洋式便器に着座した使用者の局部洗浄に関与する機能部品を有するものとすることができる。こうすれば、用便行為を補助でき好ましい。この場合、局部洗浄に関与する機能部品としては、洗浄水噴出のためのノズル装置や、そのノズルの進退駆動装置、給水された洗浄水を温水化する瞬間式の熱交換機器、局部乾燥機器、これらの電子制御装置等を挙げることができる。なお、これら機器を遠隔操作するための操作装置を本体に設けたり、トイレ壁面に設置したりすればよい。また、便器ボール内の臭気を取り除く脱臭機器や、尿酸等を検出するバイオセンサを用いた尿検査機器、便器洗浄等を内蔵したり、暖房便座を組み込むことにより機能装置となり、用便行為を種々の観点から補助でき、更によい。
【００２２】
また、便蓋や便座の回転に関し、特に開状態から閉状態に回転移動する際の洋式便器上面との激しい衝突を防止するための抵抗（いわゆる「ソフト閉止機構」）を設けておくと、便蓋や便座の破損を防止でき、更によい。
【００２３】
【発明の他の態様】
本発明は、以下のような他の態様を採ることも可能であり、第１の他の態様は、
洋式便器への着座部となる便座と、前記洋式便器の上面後部に配設され前記便座を支持する本体とを有する便座装置であって、
前記便座は、洋式便器の開口部上縁に重なる便座部分と、当該部分から延出形成され前記本体に支持される便座側支持部とを有し、
前記本体は、前記便座が前記開口部上縁から離間するよう前記便座側支持部を回転自在に支持し、前記便座を上下回転可能とする本体側支持部を有し、
前記本体側支持部の上部形状は、前記便座側支持部の回転中心軸と同心の円弧形状とされている。
【００２４】
この第１の他の態様では、便蓋の設置を省略した洋式便器において、本体の本体側支持部で便座側支持部を回転自在に支持し、本体を介して便座を洋式便器の開口部上縁に配設する。従って、上記した便蓋装置と同様に、本体側支持部に対向する便座部位（便座部分）の円弧軌跡に亘って当該便座部位と本体側支持部を干渉させることはなく、円弧形状をした本体側支持部の上部とこの便座部位との間に隙間をほとんど発生させない。このため、回転する便座と本体との干渉を防止して便座の回転機能性を確保しつつ、清掃性・意匠性も高めることができ、高い製品価値を発揮することができる。
【００２５】
第２の他の態様は、
洋式便器への着座部となる便座と、前記洋式便器の上面後部に配設され前記便座を支持する本体とを有する便座装置であって、
前記便蓋は、前記開口部の蓋部分から延出形成され、前記本体に支持される便蓋側支持部を有し、
前記本体は、前記便蓋が前記開口部を開閉するよう前記便蓋側支持部を回転自在に支持し、前記便蓋を上下回転可能とする本体側支持部を有し、
前記本体側支持部は、その上部形状部分において、前記便蓋の開閉範囲と合致する開閉合致領域に、光透過性の外壁部材を有する。
【００２６】
この第２の他の態様は、本体側支持部の上部形状部分を円弧形状とする点を除いて上記の本発明とその構成において共通し、この第２の他の態様によれば、本体側支持部の上部形状部分では、便蓋の開閉範囲と合致する開閉合致領域を、便蓋の開状態・閉状態に拘わらず常時外部に露出した領域として、使用者により常時視認されるようにできる。よって、この開閉合致領域の光透過性の外壁部材にあっても使用者により常時視認されることから、上記の本発明と同様に、この外壁部材下方からの発光を通して、使用者にインパクトを与えたり、高級感といった光演出を図ることができる。しかも、この発光部品を外壁部材で覆うことができるので、当該部品への水濡れ等を防止でき、機器損傷回避の点からも好ましい。
【００２７】
そして、この外壁部材を前記開閉合致領域に着脱自在とすることで、あるいは、前記本体側支持部を、前記上部形状部分において、前記便蓋の開閉範囲と合致する開閉合致領域に、前記洋式便器前方での使用者の起立もしくは着座を非接触で検出する使用者検出センサを有するものとすることで、上記の本発明の奏する一部の効果を奏することができる。
【００２８】
また、前記本体側支持部を、前記上部形状部分において、前記便蓋の開閉範囲と合致する開閉合致領域に、洋式便器の着座使用者の背中を指向した開口を有するものとし、前記本体を、外部の温風源または本体内部の温風源から温風を前記開口に導く温風経路を有するものとすることで、上記の本発明の奏する一部の効果を奏することができる。
【００２９】
【発明の実施の形態】
以上説明した本発明の構成およびその作用・効果を一層明らかにするために、本発明の実施の形態を実施例に基づき説明する。図１は、便蓋並びに便座を支持すると共に洗浄水による人体局部の洗浄を行う実施例の衛生洗浄装置１０の外観を表わす概略斜視図である。図２と図３は、この衛生洗浄装置１０の六面図であり、図２（Ａ）はその正面図を、図２（Ｂ）は右側面図を、図２（Ｃ）は背面図を、図２（Ｄ）は左側面図を、図３（Ａ）は上面図を、図３（Ｂ）は底面図をそれぞれ表す。
【００３０】
これら図面に示すように、衛生洗浄装置１０は、図示しない洋式便器の便蓋１２と、洋式便器の開口部上縁に重なり用便時に着座される便座１４と、洋式便器の上面後部に配設されこの便蓋１２並びに便座１４を回転支持する本体１６とを有する。本体１６は、便器への固定部分となる底部部材１６ａに本体壁面部材１６ｂを固定して構成され、その内部を機器収納空間とする。そして、この本体１６の機器収納空間には、人体局部に洗浄水を噴出するためのノズル装置３０（図４ないし図６、図１２参照）や、そのノズルを本体側の待機位置から便器ボール部内の洗浄位置に進退駆動するノズル駆動装置３１（図６、図１２参照）、給水された洗浄水を温水化して送り出す瞬間式の熱交換器３２（図１２参照）、局部乾燥のための温風や使用者への暖気感付与のための温風を発生する温風ファン３３（図６、図１２参照）、リモコン５０（図１２、図２５参照）からの指示に応じてこれら機器を駆動制御する電子制御装置３４（図１２、図１３参照）等が収納されている。これら機器を用いて局部洗浄を行うため、その指示を出す種々のボタンは、本体とは別体のリモコン５０に備え付けられるが、本体側面に設けられた操作部３５（図示省略）に装備することもできる。なお、これらノズル装置３０やリモコン５０等については後述する。
【００３１】
本体１６は、その概略斜視図の図４や側面図の図５、中央開略断面図の図６に示すように、便器前方側に傾斜面１６ｃを本体壁面部材１６ｂの一部にて形成して備え、この傾斜面１６ｃに便座・便蓋支持体１７を有する。この便座・便蓋支持体１７は、傾斜面１６ｃにて本体壁面部材１６ｂが隆起するよう、本体１６と同一の材料で一体形成される。
【００３２】
便座・便蓋支持体１７の左右両端面には、便蓋１２並びに便座１４と係合する回転軸部材４０（図１１参照）が嵌合固定される嵌合孔１７ａが空けられている。この回転軸部材４０は、便蓋や便座の回転中心軸となると共に、その閉動作時の便器近傍の回転移動動作を抵抗により遅くして衝突を緩和するソフト開閉機構を内蔵している。そして、便蓋１２と便座１４に係合した状態でこの回転軸部材４０が便座・便蓋支持体１７の嵌合孔１７ａに嵌合・固定されると、便座・便蓋支持体１７は、左右の回転軸部材４０の軸心（便蓋１２並びに便座１４の回転中心軸）、即ち左右の嵌合孔１７ａの軸心を回転中心軸として、便蓋１２と便座１４とを回転自在に支持することになる。よって、便蓋１２は、便座・便蓋支持体１７により回転自在に支持され、洋式便器の開口部を開閉するよう、上下に回転可能となる。また、便座１４は、便蓋１２と同一の回転中心軸（左右の嵌合孔１７ａの軸心）で便座・便蓋支持体１７により回転自在に支持されて、上下に回転可能となる。便蓋１２並びに便座１４と便座・便蓋支持体１７の関係については後述する。
【００３３】
便座・便蓋支持体１７は、その頂上部に便蓋１２並びに便座１４の回転中心軸と同心の円弧形状とされた曲面部１７ｂを備える。また、便座・便蓋支持体１７は、この曲面部１７ｂの中央部に、洋式便器の着座使用者の背中を指向した開口１７ｃを有し、その左右には、人体検出センサ２２ａと、ノズル装置３０等による局部洗浄の動作状態や設定状態を表示する表示部２２ｂと、リモコン５０から発せられた信号（例えば、赤外領域の光信号）を受光するリモコン受光部２２ｃを有する。これら人体検出センサ２２ａや表示部２２ｂ、リモコン受光部２２ｃ並びに開口１７ｃの曲面部１７ｂにおける設置範囲Ｘは、図７に示すように、便蓋１２が便器開口部を閉鎖した閉位置とこの開口部を開放した開位置とに亘る便蓋１２の開閉範囲Ｘ０に含まれるよう、当該開閉範囲に合致した位置とされている。なお、このように上記の設置範囲Ｘが開閉範囲Ｘ０に含まれるのは、図示するように便蓋１２が洋式便器の開口部を開閉する蓋部分１２ａをその回転中心軸からオフセットして備えるためであり、便蓋１２が回転中心軸から水平に蓋部分１２ａを有するならば、上記の設置範囲Ｘは開閉範囲Ｘ０にほぼ一致するよう合致する。
【００３４】
また、この便座・便蓋支持体１７は、その曲面部１７ｂを少なくとも人体検出センサ２２ａ等の設置範囲Ｘに亘って覆うカバー１８を着脱自在に有する。このカバー１８は、ポリプロピレン等の光透過性の高い樹脂で形成されており、曲面部１７ｂに倣った曲面形状、即ち、便蓋１２並びに便座１４の回転中心軸と同心の円弧形状とされている。よって、人体検出センサ２２ａや表示部２２ｂ並びにリモコン受光部２２ｃは、曲面部１７ｂに装着されたカバー１８により覆われる。なお、カバー１８には、便座・便蓋支持体１７の開口１７ｃと重なる開口１８ａが空けられている。
【００３５】
人体検出センサ２２ａは、赤外領域等の光を発する発光部と反射した光を受光する受光部とが組み合わされた反射型の光電センサや、超音波を発する発信器と反射した超音波を受信する受信器とが組み合わされた超音波センサである。そして、これら発光部・受光部あるいは発信器・受信器が曲面部１７ｂの上記設置位置に位置するよう、便座・便蓋支持体１７に組み込まれてカバー１８で覆われており、便器前方での使用者の起立もしくは着座を検出する。リモコン受光部２２ｃも同様である。この場合、便器前方での使用者の起立と着座とは、センサからの距離の相違により減衰が起きるので、受光量や受信量のレベルから区別して検出される。なお、人体検出センサ２２ａを上記の受光部や受信器とし、人体検出センサ２２ａと対向するトイレ内壁等にセンサを指向した発光部や発信器を設置するように構成し、人体検出センサ２２ａを透過型のものとしてもよい。そして、この透過型のセンサ構成の人体検出センサ２２ａで便器前方での使用者の起立と着座を区別して検出するには、起立検出のための発光部・発信器と着座検出のための発光部・発信器とを別に用意し、それぞれの検出に適したトイレ内壁位置に各発光部・発信器を設置すればよい。
【００３６】
表示部２２ｂは、それぞれの表示箇所における便座・便蓋支持体１７内部にＬＥＤ等の発光デバイスを設置して構成することができる。また、光ファイバや透明なガラス板やアクリル板等の光伝送材をそれぞれの表示箇所に設置し、隣接する表示箇所間で光が漏れないよう遮光する。そして、各光伝送材に個別に光を入射するＬＥＤ等の発光デバイスを便座・便蓋支持体１７内部に設置して構成することもできる。
【００３７】
また、便座・便蓋支持体１７には、本体１６に内蔵された温風ファン３３から温風を導く温風管路１７ｄがその内部下端に固定されている。よって、温風ファン３３が温風の送り出しを開始すると、その温風は、図６に白抜き矢印で示すように、温風管路１７ｄを経て開口１７ｃに導かれ、便座１４に着座した使用者の背中に向けて吹き出される。
【００３８】
次に、便蓋１２、便座１４について説明する。図８は、便蓋１２の要部を破断して示す要部破断図、図９は、図８の右方向矢視図であり回転軸部材４０を介した便座・便蓋支持体１７への回転軸支の様子を説明する説明図である。図１０は、便座１４の概略斜視図、図１１は、便座１４の要部を破断して示す要部破断図である。
【００３９】
これら図面と図１ないし図３に示すように、便蓋１２は、便器の開口部を塞ぐ蓋部分１２ａを有し、その後端側に、後述の回転軸部材４０を介して便座・便蓋支持体１７に回転自在に支持される便蓋支持部１２ｂを二股状に有する。この便蓋支持部１２ｂは、蓋部分１２ａから上方に湾曲傾斜した連結部１２ｃを介在させて、この蓋部分１２ａから延出形成されている。連結部１２ｃは、図８に示すように、便蓋１２が便座・便蓋支持体１７に回転軸支された状態において、便座・便蓋支持体１７の曲面部１７ｂにおけるカバー１８と接近した端部１２ｄを有する。連結部１２ｃは、便蓋の両側面においても、便蓋支持部１２ｂを蓋部分１２ａに連結させている。なお、図８において、曲面部１７ｂに装着されたカバー１８は省略されている。
【００４０】
便蓋支持部１２ｂは、図９に示すように、便座・便蓋支持体１７の端面側に、便座１４の後述の便座支持部１４ｂを覆うよう形成された円弧状のカバー部１２ｅと、便蓋側面まで円柱状に厚肉形成された肉厚端部１２ｆとを有する。この肉厚端部１２ｆに、回転軸部材４０を嵌合固定するための嵌合孔１２ｇが空けられている。回転軸部材４０は、便座・便蓋支持体１７の嵌合孔１７ａに嵌合し回転中心軸となる軸部分４０ａと、この軸部分４０ａの軸心を中心に回転自在な第１、第２外筒軸部分４０ｂ、４０ｃを有する。そして、第１、第２外筒軸部分４０ｂ、４０ｃが便蓋支持部１２ｂにおける嵌合孔１２ｇと便座１４の便座支持部１４ｂを貫通する嵌合孔１４ｋとに嵌合固定され、軸部分４０ａが嵌合孔１７ａに嵌合するよう嵌め込まれる。これにより、便蓋１２と便座１４は、上記したように便座・便蓋支持体１７で回転自在に支持されることになる。この場合、第１外筒軸部分４０ｂにより、便蓋１２は、便座・便蓋支持体１７に支持された状態で単独回転可能となり、第２外筒軸部分４０ｃにより、便座１４は、単独および便蓋・便座一体での回転が可能となる。なお、上記したソフト開閉は、第１、第２外筒軸部分４０ｂ、４０ｃに内部側からスプリングにより抵抗をかけ、その回転動作にブレーキをかけることで実現されている。
【００４１】
便座１４は、図１０および図１１に示すように、便器の開口部上縁に重なる便座部分１４ａを有し、その後端側に、回転軸部材４０を介して便座・便蓋支持体１７に回転自在に支持される便座支持部１４ｂを二股状に有する。この便座支持部１４ｂは、便座部分１４ａから上方に湾曲傾斜した連結部１４ｃを介在させて、この便座部分１４ａから延出形成されている。連結部１４ｃは、図１１に示すように、便座１４が便座・便蓋支持体１７に回転軸支された状態において、便座・便蓋支持体１７の曲面部１７ｂにおけるカバー１８（図示省略）と接近した端部１４ｄを有する。連結部１４ｃは、便座支持部１４ｂの外側および便座両側面においても、便座部分１４ａから形成されている。そして、この連結部１４ｃは、便座支持部１４ｂの外側においてはほぼ水平に延びた鞍部１４ｅとされており、便蓋１２が単独回転するときの便蓋支持部１２ｂとの干渉回避が図られている。
【００４２】
便座支持部１４ｂは、その略中央に嵌合孔１４ｋを有する。そして、この嵌合孔１４ｋに回転軸部材４０の第１外筒軸部分４０ｂ（図９参照）が嵌合固定されることで、上記したように便座・便蓋支持体１７で回転自在に支持されることになる。
【００４３】
次に、衛生洗浄装置１０が行う局部洗浄について説明する。図１２は、局部洗浄に関与する概略機器構成を模式的に表したブロック図、図１３は、この衛生洗浄装置１０の制御系を表わしたブロック図である。
【００４４】
衛生洗浄装置１０は、温水を連続的に供給する熱交換器３２を備え、電磁止水弁３６を経由して、図示しない水道管から洗浄水の供給を受ける。この電磁止水弁３６は、給水源の水圧に応じてその開度を変更することにより洗浄水流量を一定に維持する定流量弁３６ａを備えている。熱交換器３２は、図示するように瞬間式であることから、温水を連続的に供給するとともに貯湯タンクを不要とし省スペースにできるという利点がある。そして、この熱交換器３２は、給水された洗浄水を適温に温水化するためのヒータ３７を備える。このヒータ３７は、電子制御装置３４からの制御信号を受けてオン／オフする。また、ヒータ３７の上流には、入水温度を検出する入水温度センサ３８が設けられ、その下流には、吐出温度を検出する吐水温度センサ３９が設けられている。電子制御装置３４は、ＣＰＵ、ＲＯＭ、ＲＡＭ等を有する論理演算回路として構成され、衛生洗浄装置１０における種々の制御を実行する。その一例として、電子制御装置３４は、入水温度センサ３８および吐水温度センサ３９が検出した洗浄水温度に基づいてヒータ３７をオン／オフ制御し、吐水温度を適温に維持する。
【００４５】
衛生洗浄装置１０は、熱交換器３２からノズル装置３０に至るまでの洗浄水供給系に図示しないバキュームブレーカと洗浄水流量を調整する流量調整弁３２ａを有する。バキュームブレーカは、管路を大気開放することで、ノズル装置３０の側からの洗浄水の逆流を防止する。
【００４６】
ノズル装置３０を進退駆動させるためのノズル駆動装置３１は、その動力源としてのノズル駆動モータ３１ａを有する。このノズル駆動モータ３１ａは、図示しないプーリ、ベルト等を有する駆動伝達機構を介してノズル装置３０と係合されている。ノズル駆動モータ３１ａは、電子制御装置３４からの制御信号により正逆回転駆動して、ノズル装置３０を本体１６内の待機位置からお尻洗浄位置あるいはその前方のビデ洗浄位置に進出させたり、両洗浄位置から待機位置に退避させる。
【００４７】
電子制御装置３４は、温風ファン３３にオン／オフの制御信号を出力して、温風ファン３３の温風の送り出しとその停止を行う。そして、温風ファン３３の温風の吹き出し先を、便座・便蓋支持体１７における開口１７ｃに繋がった温風管路１７ｄと、人体局部への温風吹出口３３ａに繋がった温風管路３３ｂのいずれかに切り換える。この管路の切換により、温風は、開口１７ｃから着座使用者の背中に向けて吹き出されたり、人体局部に向けて吹き出されたりする。このような温風の吹き出し並びに温風吹出先の切換は、操作部３５やリモコン５０における後述の背中暖気ボタン７１ｈと乾燥ボタン７１ｉの操作状況に応じて実行される。
【００４８】
また、電子制御装置３４は、便座・便蓋支持体１７の曲面部１７ｂに配設された上記の人体検出センサ２２ａ、リモコン受光部２２ｃ、表示部２２ｂと接続されているほか、使用者の使用意図に応じて操作される操作部３５とも接続されている。操作部３５は、局部洗浄に付随する種々の指令を使用者のボタン操作に伴い電子制御装置３４に出力すべく、各種の操作ボタンを備える。本実施例では、局部の洗浄を開始するためのお尻洗浄ボタン７１ａやビデ洗浄ボタン７１ｂ、停止ボタン７１ｃ、水勢などに強弱の変化をつけた洗浄水の噴出を設定するマッサージ設定ボタン７１ｄ、ノズル装置３０を揺動させた局部の洗浄を設定するムーブ設定ボタン７１ｅ、温風を背中に吹き付けて暖気する背中暖気ボタン７１ｈ、温風を局部に吹き付けて乾燥させる乾燥ボタン７１ｉ等の動作指令ボタンや、洗浄水の温度を調節する吐水温設定ボタン７１ｇ、洗浄水の水量を設定する水量設定ボタン７１ｊなどの各設定ボタンを設けている。また、この操作部３５は、出力装置として、これらの各種操作ボタンによる操作の結果や動作の設定状況（例えば、設定水温、設定水勢等）をランプや液晶によって表示する表示部（図示省略）を、上記各ボタンと共に備える。なお、リモコン５０は、衛生洗浄装置１０を遠隔操作して局部洗浄を行うべく、上記した操作部３５と同様のボタンを備える。その詳細については、後述する。
【００４９】
次に、衛生洗浄装置１０の洗浄動作の概略を、お尻洗浄を例として説明する。いま、操作部３５のお尻洗浄ボタン７１ａが操作されると、操作部３５は、お尻洗浄開始信号を電子制御装置３４に送信する。電子制御装置３４は、この信号を受けて、種々の制御対象機器に制御信号を送る。つまり、電磁止水弁３６には管路を開く旨の制御信号を、流量調整弁３２ａには管路開放並びに流量調整量（管路開放量）に関する制御信号を、ノズル駆動モータ３１ａにはノズル装置３０をお尻洗浄位置まで進出させる旨の制御信号をそれぞれ送信する。電磁止水弁３６等の上記の各制御対象機器は対応する制御信号に基づいて駆動する。よって、ノズル装置３０は、待機位置からお尻洗浄位置まで進出する。洗浄水供給系では、電磁止水弁３６内に内蔵した定流量弁３６ａによりその水量が一定に維持されて、熱交換器３２に流れ込み、その洗浄水が所定温度まで加熱されて、バキュームブレーカを経てノズル装置３０に流れ込む。なお、このような洗浄動作は、人体検出センサ２２ａからの信号により電子制御装置３４が使用者の着座を検出したときに限り行われるようにされている。つまり、電子制御装置３４が人体検出センサ２２ａからの信号レベルにより、使用者は便器前方に起立した姿勢にあると検出した場合は、お尻洗浄ボタン７１ａが操作されても上記のお尻洗浄動作は実行されない。このように便器前方での使用者起立を検出した場合は、男子小用での便器使用と判断できる。よって、便蓋１２や便座１４の開閉状態を別個のセンサにより検出するよう構成し、上記の使用者起立の際に便蓋１２が開き便座１４が閉じた状態であれば、便座１４を開くよう表示部２２ｂにて光報知したり、ブザー等の音声で報知することもできる。
【００５０】
そして、操作部３５の停止ボタン７１ｃが操作されると、操作部３５は、停止信号を電子制御装置３４に送信するので、電子制御装置３４は、上記各機器を元の状態に復帰させお尻洗浄を終了する。これにより、洗浄水の供給は停止してノズル装置３０は待機位置に退避し、衛生洗浄装置１０は、次回以降の局部洗浄に備える。なお、衛生洗浄装置１０をその幅方向についてコンパクト化するために、あるいは、リモコンのみでの遠隔操作を所望する顧客要望に応えるために、操作部３５を省略することもできる。この場合には、後述のリモコン５０が衛生洗浄装置１０の必須付属機器となる。
【００５１】
以上説明したように、本実施例の衛生洗浄装置１０によれば、次のような利点がある。
（１）図７、図８や図１１に示すように、本体１６に対して便蓋１２と便座１４を上下に回転自在に支持するに当たり、便蓋１２並びに便座１４を回転軸部材４０を介して便座・便蓋支持体１７の両端で同軸に支持し、この便座・便蓋支持体１７の頂上部の曲面部１７ｂを、便蓋・便座の回転中心軸と同心の円弧形状とした。
【００５２】
このため、便蓋１２や便座１４が上下回転する場合、便蓋１２の蓋部分１２ａ、便蓋支持部１２ｂ、連結部１２ｃの便蓋各部分と、便座１４の便座部分１４ａ、便座支持部１４ｂ、連結部１４ｃの便座各部分は、便蓋・便座の回転中心軸を中心とする円弧軌跡で上下に回転移動する。このように回転移動する際に干渉を起こす便蓋・便座の部分は、便座・便蓋支持体１７に近接対向した上記連結部の端部１２ｄ、１４ｄであるところ、これら端部にあっても、便座・便蓋支持体１７と端部の関係をカバー１８を無視して表す図１４に示すように、便蓋・便座の回転中心軸ＫＪを中心とする円弧軌跡１２ｈｋ、１４ｈｋで上下に回転移動する。そして、このように回転移動する端部１２ｄ、１４ｄの円弧軌跡１２ｈｋ、１４ｈｋの内側に位置する曲面部１７ｂは、当該円弧軌跡、即ち便蓋・便座の回転中心軸と同心の円弧形状であることから、この円弧軌跡に亘って端部１２ｄ、１４ｄと干渉することはない。よって、便座・便蓋支持体１７はもとより便蓋・便座の端部１２ｄ、１４ｄに従来のような傾斜したり窪んだりした削り部分を必要としない。しかも、円弧形状をした便座・便蓋支持体１７の曲面部１７ｂと円弧軌跡１２ｈｋ、１４ｈｋで回転移動する端部１２ｄ、１４ｄとの間には、ごく僅かな隙間を残せばよいので、閉状態にある便蓋１２のこの端部１２ｄと便座・便蓋支持体１７との間に隙間をほとんど発生しないようにできる。また、便蓋１２の装着を省略した場合では、閉状態にある便座１４の端部１４ｄと便座・便蓋支持体１７との間に隙間をほとんど発生しないようにできる。
【００５３】
この結果、衛生洗浄装置１０によれば、隙間部分に汚れが溜まりにくくできるので、清掃性を向上できる。また、上記の隙間がほとんどないことから、便蓋１２並びに便座１４と本体１６とを一体感を持たせてまとまりよくデザインでき、形状的な統一性の確保を通して意匠性を高めることもできる。従って、衛生洗浄装置１０では、回転移動が必要な便蓋・便座の回転機能性を確保しつつ、清掃性・意匠性も高めることができ、高い製品価値を発揮することができる。なお、カバー１８の厚さが無視できず、カバー装着によりカバー表面が曲面部１７ｂ表面より高い場合は、便蓋・便座の端部とこのカバー１８との間に隙間をほとんど発生しないようにできることは勿論である。
【００５４】
（２）本実施例の衛生洗浄装置１０では、便蓋１２と便座１４を同軸で回転自在に支持するに当たり、便座１４の便座支持部１４ｂを便蓋１２のカバー部１２ｅで覆うようにした。これにより、便座上方からは、便座左右方向に亘り、便座・便蓋支持体１７とその両端の便蓋支持部１２ｂ並びにカバー部１２ｅしか見えないようにした。また、便蓋支持部１２ｂとカバー部１２ｅとは、その外観形状が連続するようにし、便蓋支持部１２ｂ並びにカバー部１２ｅと曲面部１７ｂの曲面形状範囲の外径をほぼ同じものとした。このため、装置上面の外観を、より高い連続感・一体感を与えたりよりシンプルで高い質感を与えることができ、意匠性はもちろん商品価値をより高めることができる。
【００５５】
（３）この衛生洗浄装置１０では、人体局部の洗浄に必要なノズル装置３０等の機能部品を備えるようにし、便座・便蓋支持体１７の曲面部１７ｂに、人体検出センサ２２ａと表示部２２ｂとリモコン受光部２２ｃを設置した。そして、この人体検出センサ２２ａ等の設置範囲Ｘを、図７に示すように、便蓋１２の開閉範囲Ｘ０に含まれるようにして、当該設置範囲Ｘに、ポリプロピレン等の樹脂から形成した光透過性のカバー１８を装着した。この設置範囲Ｘは、便蓋・便座が閉状態にある場合は勿論、便蓋・便座の開状態を表す図１５、図１６に示すように、便蓋１２が単独であるいは便座１４が便蓋１２と共に開けられた場合であっても、塞がれることがなく常時外部に露出したままとなる。よって、人体検出センサ２２ａと表示部２２ｂ並びにリモコン受光部２２ｃは、光透光性のカバー１８を通して使用者により常時視認される。
【００５６】
従って、人体検出センサ２２ａの検出部（センサ表面）は、便蓋・便座の開閉状態に拘わらず常時露出したままであるので、この人体検出センサ２２ａによって、便器前方で起立した使用者もしくは着座使用者を高い精度で検出でき、検出信頼性を高めることができる。リモコン受光部２２ｃについても同様である。更に、使用者は、表示部２２ｂの各表示部の点灯状態を便器使用に先立って確実に視認でき、この点灯状態を通して用便前にノズル装置３０等による局部洗浄の動作状態や設定状態を知ることができる。この際、この表示部２２ｂに着色された光伝送材を用いたりして光から使用者が受ける印象を多様なものとして、使用者にインパクトを与えたり、高級感といった光演出を図ることができる。しかも、人体検出センサ２２ａや表示部２２ｂ並びにリモコン受光部２２ｃをカバー１８で覆うので、これら部品への水濡れ等を防止でき、機器損傷回避の点からも好ましい。
【００５７】
また、カバー１８を曲面部１７ｂに対して着脱自在としたので、カバー破損時の交換ができると共に、便座・便蓋支持体１７並びに本体１６を共通としながら、カバー１８を有する製品シリーズとこれを有しない製品シリーズとを設定でき、購買者の選択枝を広げることができる。
【００５８】
（４）衛生洗浄装置１０では、便蓋・便座の開閉状態に拘わらず外部に露出した曲面部１７ｂの上記設置範囲Ｘに、上記の人体検出センサ２２ａ等に加えて、温風吹出のための開口１７ｃを設け、この開口に温風ファン３３から温風を導くようにした。従って、冬季や寒冷地での用便の際に、使用者の背中を開口１７ｃからの温風にて効率よく暖めることができる。背中が暖められると暖気感を比較的早く得ることができるので、トイレ室内を暖めて使用者に暖気感を与える場合に比べて、速やかに使用者に暖気感を与えることができ好ましいと共に、電力消費量の削減、即ち省エネルギーを図ることができ好ましい。この場合、曲面部１７ｂに開口１７ｃを設けるに当たり、この開口１７ｃを使用者の背中を指向して形成することに替えて、次のようにすることもできる。即ち、開口１７ｃを曲面部１７ｂの上記設置範囲Ｘの適宜箇所に開け、この開口に温風を導く管路の吹出口を着座使用者の背中に指向して配設すればよい。
【００５９】
次に、上記した衛生洗浄装置１０の変形例について説明する。この変形例は、本体１６に収納する局部洗浄機能部品を最小限にして本体１６の小型化・スリム化を図った点に特徴がある。図１７は、この変形例の衛生洗浄装置１０Ａの概略斜視図である。
【００６０】
図示するように、この衛生洗浄装置１０Ａにあっても、上記したとおり、本体１６の便座・便蓋支持体１７に便蓋１２と便座１４を回転自在に支持して備える。洋式便器Ｔは、その後端側がトイレ壁面のキャビネット１００に位置するようにして設置されており、衛生洗浄装置１０Ａは、便蓋１２並びに便座１４の回転に支障がない程度にキャビネット前面から離して洋式便器Ｔの上面に配設されている。
【００６１】
本体１６は、上記したノズル装置３０や熱交換器３２等の局部洗浄機能部品のうちのノズル装置３０とノズル駆動装置３１と、背中暖気のための温風ファン３３とを収納する。そして、このほかの機能部品、即ち熱交換器３２や、電子制御装置３４、電磁止水弁３６、定流量弁３６ａ等は、ユニット化された状態でキャビネット１００内に収納されている。なお、キャビネット１００には、本体１６の後方位置に開閉扉１０１が設けられているので、熱交換器３２等の設置や保守点検に何の支障はない。
【００６２】
このように、衛生洗浄装置１０Ａは、本体１６にノズル装置３０とノズル駆動装置３１と温風ファン３３とを収納するに過ぎないので、本体１６を小型化できる。よって、本体１６をその高さが低いものとできるので、便蓋１２や便座１４と本体１６の一体感が増し、意匠性を高めることができる。なお、この衛生洗浄装置１０Ａにあっても、既述した（１）ないし（４）に記した効果を奏することができるのは勿論である。
【００６３】
また、キャビネット１００の内部には、熱交換器３２等の機能部品を後から設置することもできる。よって、衛生洗浄装置１０Ａの販売形態としては、当初から局部洗浄機能を備えた形態、即ち、熱交換器３２等の機能部品をキャビネット内に設置した形態と、局部洗浄機能を有しない形態、即ち、キャビネット内には熱交換器３２等の機能部品を設置しない形態とを採ることができる。この場合、ノズル装置３０とノズル駆動装置３１とを本体１６に後付けできるようにすれば、上記の両形態の販売形態を採るに当たり、局部洗浄機能を有しない形態では、部品数低減によるコスト低下が可能となり好ましい。なお、局部洗浄機能の有無に拘わらず温風ファン３３を本体１６に収納しているので、当該ファンのオン／オフスイッチは、本体１６の側面やリモコン５０に設けられている。この場合、本体１６に室温検出センサを設け、その検出温度が所定以上であるときに、人体検出センサ２２ａを介して使用者の着座を検出すると温風ファン３３が自動起動するようにすることができる。このようにすれば、寒冷時に使用者の背中を速やかに暖機でき好ましい。なお、暖気停止については、温風ファン３３の起動後所定時間が経過すると温風ファン３３を停止するようにしたり、人体検出センサ２２ａからの着座検出が解除されると温風ファン３３を停止するようにすればよい。
【００６４】
図１８は、洋式便器Ｔに配設された他の変形例の衛生洗浄装置１０Ｂの概略斜視図、図１９は、この衛生洗浄装置１０Ｂの概略縦断面図である。図２０は便蓋１２を開いた状態の、図２１は便蓋１２並びに便座１４を開いた状態の概略斜視図である。これら図面に示すように、この変形例は、便蓋・便座を回転自在に支持する便座・便蓋支持体１７を本体１６の後方上端に設けた点に特徴がある。
【００６５】
本体１６は、その縦断面が略三角形とされており、洋式便器Ｔに配設された場合の頂点部に、便座・便蓋支持体１７を有する。この便座・便蓋支持体１７は、傾斜面１６ｃの一部分が半円形状で隆起するようにされている。この変形例であっても、便蓋１２並びに便座１４は、二股状に形成されたそれぞれの便蓋支持部１２ｂ、１４ｂを便座・便蓋支持体１７の左右に配置させ、回転軸部材４０（図示省略）にて便座・便蓋支持体１７に回転自在に支持されている。また、便座・便蓋支持体１７の上部に当たる曲面部１７ｂにあっても、便蓋・便座の回転中心軸ＫＪと同心の円弧形状とされている。
【００６６】
このため、図２０、図２１に示すように、便蓋・便座が上下回転して連結部１２ｃ、１４ｃの端部１２ｄ、１４ｄが回転中心軸ＫＪを中心に円弧軌跡１２ｈｋ、１４ｈｋで回転移動しても、端部１２ｄ、１４ｄと曲面部１７ｂとが干渉することはない。よって、衛生洗浄装置１０と同様に、既述の（１）ないし（４）に記した効果を奏することができる。
【００６７】
また、この変形例の衛生洗浄装置１０Ｂでは、便座・便蓋支持体１７を本体１６の後方上端に設けて、便座１４の回転支持箇所を便座部分１４ａから離した。これにより、便座支持部１４ｂまでの連結部１４ｃを広くして、この連結部１４ｃを、便座部分１４ａから便座支持部１４ｂにかけて上方に緩やかに湾曲して連続傾斜するようにした。このため、このような連結部１４ｃを便蓋１２の開状態時に露呈させるので、便座への着座使用者に違和感を与えることがない。しかも、この連結部１４ｃを広くしたことと相俟って、便座１４への着座感を高めることができる。
【００６８】
更に、この変形例の衛生洗浄装置１０Ｂでは、便座・便蓋支持体１７を傾斜面１６ｃの一部分が半円形状で隆起するようにしたので、便座・便蓋支持体１７と本体１６の一体感が増す。よって、質感や意匠性はもちろん商品価値をより一層高めることができる。
【００６９】
図２２は、局部洗浄機能を後付けする変形例の衛生洗浄装置１０Ｃが配設された洋式便器Ｔの概略斜視図である。図示するように、この衛生洗浄装置１０Ｃでは、便器洗浄水の貯留タンクＳＴにスチールベルト１０３を用いて機能部品収納ボックス１０４が固定されている。この機能部品収納ボックス１０４には、局部洗浄についてのノズル関連部品以外の熱交換器３２や、電子制御装置３４、電磁止水弁３６、定流量弁３６ａ等がユニット化された状態で収納されている。そして、当該ボックスには、図示しない給水源からの給水管１０５と温水を衛生洗浄装置の側に送る温水管１０６とがフレキシブル配管にて接続され、電源・信号配線１０７が接続されている。これにより、機能部品収納ボックス１０４と衛生洗浄装置１０Ｃとで、上記した局部洗浄機能を発揮できる。そして、このような衛生洗浄装置１０Ｃであっても、キャビネット１００を用いた場合と同様、局部洗浄機能の具備・非具備の両形態を採ることができ、販売形態の多様化や部品数低減によるコスト低下が可能となる。なお、この衛生洗浄装置１０Ｃにあっても、温風ファン３３が本体１６に収納されており、局部洗浄機能の有無に拘わらず背中暖気を図ることができる。
【００７０】
図２３は、別の変形例の衛生洗浄装置１０Ｄの概略斜視図である。この変形例は、便蓋１２の便蓋支持部１２ｂを後端側中央に設け、この便蓋支持部１２ｂを左右の便座・便蓋支持体１７で回転自在に軸支するようにし、この左右の便座・便蓋支持体１７の曲面部１７ｂを回転中心軸ＫＪと同心の円弧形状とした。よって、この別の変形例にあっても、この左右の便座・便蓋支持体１７と便蓋１２の端部１２ｄとの間の隙間は僅かとなる。
【００７１】
図２４は、また別の変形例の衛生洗浄装置の要部拡大断面図である。この変形例は、便蓋１２並びに便座１４の端部１２ｄ、１４ｄと便座・便蓋支持体１７の曲面部１７ｂとの間の隙間が一定であることを利用して、曲面部１７ｂの清掃性を高めた点に特徴がある。即ち、図示するように、便蓋１２並びに便座１４の端部１２ｄ、１４ｄの近傍に、ゴム、樹脂等から形成した柔らかなスイーパー１３ａ、１５ａを着脱自在に装着する（図２４（ａ））。また、この端部近傍に、柔軟である程度のいわゆる腰の強さをもった繊維、糸状物（樹脂等）を植毛したブラシ１３ｂ、１５ｂを着脱自在に装着する（図２４（ｂ））。こうすれば、端部１２ｄ、１４ｄが曲面部１７ｂから一定の間隔をもって円弧軌跡１２ｈｋ、１４ｈｋで回転移動する際に、スイーパー１３ａ、１５ａやブラシ１３ｂ、１５ｂにより便座・便蓋支持体１７の清掃が完了するので、使用者の清掃頻度が低くない好ましい。また、便蓋１２や便座１４を開いた状態では、スイーパー等の装着箇所が便器前方を向くので（図１４参照）、汚れたスイーパー等を容易に交換でき好ましい。
【００７２】
次に、上記した各衛生洗浄装置を遠隔操作するためのリモコン５０について説明する。以下の説明では、このリモコン５０を衛生洗浄装置の遠隔操作するものとして説明するが、装置の遠隔操作という観点に立てば、衛生洗浄装置以外の装置、例えば、テレビやビデオの他、エアコン等の家電製品に適用できる。そして、リモコン５０は、遠隔操作の対象となる装置に応じた信号、衛生洗浄装置であれば洗浄開始等の指令を、家電製品一般であれば電源のオン／オフ指令を、テレビであればチャンネル切換・音量調整等の指令を、ビデオであれば再生・早送り等の指令を光送信等により送信するよう構成される。
【００７３】
図２５は、上記の各衛生洗浄装置１０に適用したリモコン５０の正面図、図２６は、蓋体５２の開閉機構を説明する要部斜視図、図２７は、蓋体５２を開いた状態のリモコン５０の正面図である。リモコン５０は、トイレ壁面に直接あるいは適宜な図示しないブラケットにより固定されるリモコン本体５１と、この本体の前面を上端部分を除いて覆う蓋体５２とを有する。この蓋体５２は、図２６に示すように、リモコン本体５１に対して、その下端側にてヒンジピン６４により開閉自在に装着されており、閉状態では蓋体前面を操作面とし（図２５）、解除謡ではリモコン本体前面を操作面とする（図２６）。リモコン本体５１は、この蓋体５２の開閉状態を検出する後述の開閉センサを有し、当該センサの検出結果に応じて、蓋体前面あるいはリモコン本体前面の後述の各種ボタンに適合した信号（光信号）を発するよう構成されている。
【００７４】
蓋体５２は、その前面に、既述した操作部３５と同様の各種ボタンを有する。即ち、この蓋体５２は、その上端側から、停止ボタン５２ａと、お尻洗浄ボタン５２ｂと、気泡を混入した洗浄水を噴出して柔らかな洗浄感を与えるやわらか洗浄ボタン５２ｃと、ビデ洗浄ボタン５２ｄとを一列に配置して備える。この場合、洗浄水に気泡を混入するには、衛生洗浄装置における洗浄水管路にコンプレッサ等により空気を混入する空気混入機構が衛生洗浄装置の本体に備え付けられる。そして、この気泡混入機能を有しない衛生洗浄装置についてのリモコン５０であれば、やわらか洗浄ボタン５２ｃは省略される。
【００７５】
また、蓋体５２は、上記のボタン列下方に、お尻洗浄時のムーブ設定ボタン５２ｅとマッサージ設定ボタン５２ｆとビデ洗浄時のムーブ設定ボタン５２ｇのボタン列と、強弱ボタンに分かれた水勢設定ボタン５２ｈと高低ボタンに分かれた温度設定ボタン５２ｉと当該ボタンによる温度設定対象を温水温度・便座温度・温風温度のいずれかに切り替えるための切替ボタン５２ｊと前後ボタンに別れ洗浄水ノズルの位置を前後方向へ移動するノズル位置調節ボタン５２ｋと局部乾燥のための乾燥ボタン５２ｍと背中暖気のための暖気ボタン５２ｎのボタン列とを有する。
【００７６】
蓋体５２における停止ボタン５２ａ等のこれら各ボタンは、図２８の要部拡大断面図に示すように、外部に湾曲しその中央に指の案内となる陥没部を備える。この場合、これらボタンは、非操作時にはこの陥没部をその形状のまま維持し、押圧操作されると、陥没部が押し込まれ、押圧を解除すると元の状態に復帰するよう、可撓性をもって構成されている。そして、押圧操作時には、陥没部の裏面突起５５が蓋体５２の裏面から突出するようにされている。こうして突出した裏面突起５５は、後述するリモコン本体５１の側のボタンを押し込み、このボタン裏面の突起５７を対応するスイッチ回路５７ａに当接するようにされている。そして、この突起５７の当接によりスイッチ回路５７ａがオンし、リモコン５０は、操作ボタンに応じた所定の信号を生成してその信号を衛生洗浄装置に送信する。つまり、蓋体５２は、衛生洗浄装置の遠隔操作のためのボタンを備えながら、スイッチ回路等の電気的なスイッチ機器を一切有しない。この場合、リモコン本体５１の側のボタンにあっても、非操作時には操作部をその形状のまま維持し、押圧操作されるとあるいは上記のように蓋体５２の裏面突起５５に押されると、操作部が押し込まれ、押圧を解除すると元の状態に復帰するよう、可撓性をもって構成されている。なお、信号の生成並びにその送信については後述する。
【００７７】
上記した蓋体５２における強弱・高低・前後のボタンの間は、リモコン本体５１の表示部６２を外部に露呈させる窓部５３とされており、この表示部６２の表示内容は、蓋体５２の開閉に拘わらず使用者に視認可能となっている。更に、窓部５３の左右領域は、所定の波長領域の光を選択的に透過させるスモーク窓部５８とされており、このスモーク窓部５８は、蓋体の側面に亘って設けられている。これにより、蓋体閉状態にあっては、このスモーク窓部５８からリモコン本体５１の発光素子５６の光信号がリモコン前面あるいは側面から衛生洗浄装置のリモコン受光部２２ｃに発せられ、蓋体開状態にあっては、発光素子５６からリモコン受光部２２ｃに直接光信号が発せられる。
【００７８】
リモコン本体５１は、その上端部に、蓋体５２によって塞がれることのない大洗浄ボタン５１ａと小洗浄ボタン５１ｂを有する。大洗浄ボタン５１ａは、小洗浄ボタン５１ｂに比べて大きくされており、大便排泄後の便器洗浄の際に操作され、小洗浄ボタン５１ｂは小便排泄後の便器洗浄の際に操作される。そして、リモコン５０は、これら洗浄ボタンの操作を受けて、便器洗浄を行うための動作信号を光信号にて発光素子５６からリモコン受光部２２ｃに送信する。即ち、リモコン５０は、大洗浄ボタン５１ａが操作されると、大流量の洗浄水で便器ボール部を洗浄する旨の動作信号をリモコン受光部２２ｃに送信し、衛生洗浄装置ではこの信号を受けて大流量の洗浄水を便器ボール部に流し込み、便器を洗浄する。その一方、小洗浄ボタン５１ｂが操作されると、小流量の洗浄水で便器ボール部を洗浄する旨の動作信号をリモコン受光部２２ｃに送信し、衛生洗浄装置では小流量の洗浄水で便器を洗浄する。
【００７９】
また、図２７に示すように、リモコン本体５１は、閉状態の蓋体５２で覆われる領域に、以下のボタンとボタン操作伝達部等を有する。即ち、上記の大小洗浄ボタンの下方に、停止ボタン操作伝達部５１ｃと、室内暖房の実行時間設定をオン／オフするための暖房タイマーボタン５１ｄと、室内暖房が実行される時間を設定する運転時間設定ボタン５１ｅと、室内暖房のオン／オフを設定する室内暖房ボタン５１ｆのボタン列を有する。このボタン列の停止ボタン操作伝達部５１ｃ並びに上記各ボタンは、蓋体５２が閉じられた状態では、蓋体５２の停止ボタン５２ａが停止ボタン操作伝達部５１ｃに、お尻洗浄ボタン５２ｂが暖房タイマーボタン５１ｄに、やわらか洗浄ボタン５２ｃが運転時間設定ボタン５１ｅに、ビデ洗浄ボタン５２ｄが室内暖房ボタン５１ｆに重なるようにしてそれぞれ配設されている。
【００８０】
このボタン列の下方には、蓋体５２の裏面に設けられた図示しない突起が蓋体閉状態で当接し蓋体の開閉状態を検出する開閉センサ５１ｇと、便座ヒータや室内暖房ヒータへの通電時間設定をオン／オフし節電を図るための節電タイマーボタン５１ｈと、ヒータ通電時間を設定する節電時間設定ボタン５１ｉと、ヒータ通電時間を自動設定して節電を図るおまかせ節電ボタン５１ｊのボタン列を有する。更にその下方には、表示部６２の上下に、水勢の強弱設定ボタン操作伝達部５１ｋ、５１ｍと、温度の高低設定ボタン操作伝達部５１ｎ、５１ｐと、便器ボール内の臭気除去のための脱臭設定をオン／オフする脱臭ボタン５１ｑと、ノズル掃除のために洗浄ノズルを強制的に前進させる動作をオン／オフするノズル掃除ボタン５１ｒと、切替ボタン操作伝達部５１ｓと、トイレ室温が約５℃以下となると室内暖房ヒータを自動的にオンさせる動作をオン／オフする冷え込み防止ボタン５１ｔと、暖気ボタン操作伝達部５１ｕのボタン列を有する。
【００８１】
これらボタン列の各伝達部と各ボタンにあっても、蓋体５２が閉じられた状態では、蓋体５２のムーブ設定ボタン５２ｅが節電タイマーボタン５１ｈに、マッサージ設定ボタン５２ｆが節電時間設定ボタン５１ｉに、ムーブ設定ボタン５２ｇがおまかせ節電ボタン５１ｊに、水勢設定ボタン５２ｈの強弱ボタンが強弱設定ボタン操作伝達部５１ｋ、５１ｍに、温度設定ボタン５２ｉの高低ボタンが高低設定ボタン操作伝達部５１ｎ、５１ｐに、切替ボタン５２ｊが切替ボタン操作伝達部５１ｓに、ノズル位置調節ボタン５２ｋの前後ボタンが脱臭ボタン５１ｑとノズル掃除ボタン５１ｒに、乾燥ボタン５２ｍが冷え込み防止ボタン５１ｔに、暖気ボタン５２ｎが暖気ボタン操作伝達部５１ｕに重なるようにしてそれぞれ配設されている。
【００８２】
そして、リモコン本体５１の上記した各スイッチ並びに各操作伝達部は、それぞれ図２８に示す突起５７をその裏面に備え、リモコン本体５１には、各スイッチ並びに各操作伝達部ごとに、その突起５７が当接するスイッチ回路５７ａが配設されている。よって、リモコン５０は、各スイッチあるいは各操作伝達部のスイッチ回路５７ａのオン状況により、以下に説明するように衛生洗浄装置に種々の指令信号を送信する。
【００８３】
次に、リモコン５０からの信号送信の詳細について説明する。図２９は、リモコン５０の制御系を表すブロック図、図３０は、リモコン５０で実行される指令信号出力処理を表すフローチャート、図３１は、当該処理の内容を説明するための説明図である。
【００８４】
図２９に示すように、リモコン５０は、リモコン本体５１内に、図示しない電池を駆動電源とする電子制御装置７０を備え、リモコン本体５１の上記各ボタン操作伝達部並びに各ボタンごとのスイッチ回路５７ａ（スイッチ回路５７ａ１〜５７ａ１６）と表示部６２を、電子制御装置７０に接続して備える。そして、リモコン５０は、各ボタンに応じて指令信号を送信すると共に、表示部６２を表示制御する。具体的には、設定された水勢を表示する水勢表示部、温度の切替対象を表示する切替表示部並びにノズル設定位置を表示するノズル位置表示部の各表示を行う。
【００８５】
図３０のフローチャートで示される指令信号出力処理は、所定時間ごとに繰り返し実行されるものであり、まず、スイッチ回路５７ａのそれぞれをスキャンしてボタン操作の有無を判断する（ステップＳ１００）。ここで、ボタン操作がないと判断すれば、何の処理を行うことなく本ルーチンを終了する。そして、ボタン操作があったと判断した場合は、その際の開閉センサ５１ｇのスキャン結果に基づいて、蓋体５２が閉状態にあるか開状態にあるかを判断する（ステップＳ１１０）。
【００８６】
ここで、蓋体５２が閉状態にあると判断した場合は、使用者は、図２５に示す蓋体５２前面の操作面を視認して各ボタンを操作することになる。よって、この場合は、リモコン５０は、蓋体５２の操作されたボタンに対応する信号を生成して送信すべく、蓋体５２が閉状態にあるときの操作ボタンとその指令信号を内容を対応させた図３１の蓋体閉状態指令テーブルを参照しつつ、操作ボタンに対応した指令内容を次のようにして特定する（ステップＳ１２０）。リモコン５０は、リモコン本体５１の上記各ボタン操作伝達部と各ボタンごとにスイッチ回路５７ａを備え、蓋体５２の各ボタンは、上記したようにリモコン本体５１のボタン操作伝達部あるいはボタンと一対一に対応している。よって、このステップＳ１２０では、リモコン５０は、ステップＳ１００の実行時にスイッチ回路５７ａをオンとさせたボタンを、そのオンとされたスイッチ回路５７ａに基づき特定する。例えば、図２９に示すスイッチ回路５７ａのうち、上から４つ目に示すスイッチ回路５７ａ４がオンであれば、蓋体５２が閉状態でこのスイッチ回路５７ａ４をオンとさせた操作ボタンは、ビデ洗浄ボタン５２ｄとなる。そして、このビデ洗浄ボタン５２ｄが操作されたときに送信すべき指令内容を、蓋体閉状態指令テーブルから「ビデ洗浄開始」と特定する。蓋体５２の他の洗浄ボタンが操作されたときも同様である。ムーブ、マッサージの各設定ボタンや乾燥、暖気の各ボタンの場合は、最初のボタン操作時にその機能のオンと特定し、再度のボタン操作時にオフと特定する。また、スイッチ回路５７ａ１２をオンさせる切替ボタン５２ｊの場合は、当該ボタンが操作されるごとに、温水→便座→温風の順に温度調整の対象機器を切り替える指令とする。
【００８７】
こうした指令内容の特定に続いては、操作ボタンに応じた指令内容の指令信号を生成し、当該信号を光信号にて発光素子５６から衛生洗浄装置のリモコン受光部２２ｃに送信する（ステップＳ１３０）。この信号送信により本ルーチンを抜け次の処理に備える。
【００８８】
一方、ステップＳ１１０で蓋体５２が開状態にあると判断した場合は、使用者は、図２７に示すリモコン本体５１前面の操作面を視認して各ボタンを操作することになる。よって、この場合は、リモコン５０は、リモコン本体５１の操作されたボタンに対応する信号を生成して送信すべく、蓋体５２が開状態にあるときの蓋体開状態指令テーブルを参照しつつ、操作ボタンに対応した指令内容を上記のステップＳ１２０と同様に特定する（ステップＳ１４０）。その後、上記のステップＳ１３０に移行して、操作ボタンに応じた指令内容の指令信号を発光素子５６からリモコン受光部２２ｃに送信する。
【００８９】
図２７では図示の都合上、停止ボタン操作伝達部５１ｃ等の各操作伝達部を枠取りして示したが、実機では、これら操作伝達部に該当する個所は、使用者に押圧を促すような図示や操作ボタン部分であることを示す図示は何らなされていない。よって、通常の使用状態であれば、蓋体５２が開状態の時に上記各ボタン操作伝達部が使用者に押圧操作されることはない。しかし、使用者が誤って蓋体５２の開状態時にこのボタン操作伝達部を押圧することもあるので、本実施例では次のように対処することとした。即ち、図３１に示すように、蓋体開状態指令テーブルにおいて、各ボタン操作伝達部に対応する指令内容をｎｕｌｌとし、この場合は何の指令を出さないようにした。つまり、指令内容がｎｕｌｌであれば、上記のステップＳ１３０では何の処理も行われない。なお、このような場合には、表示部６２に誤操作である旨の表示をするようにすることもできる。
【００９０】
以上説明したように、衛生洗浄装置に適用したリモコン５０によれば、リモコン本体５１並びに蓋体５２の各操作ボタンに応じて、衛生洗浄装置を遠隔操作できる。そして、蓋体５２には電気的な構成を必要としないことから、製造上の利点、例えばコスト低減等の利点がある。
【００９１】
また、上記のリモコン５０では、衛生洗浄装置への光信号送信のための発光素子５６をリモコンの左右端部に有し、スモーク窓部５８は、リモコン前面から側面に亘って設けられている。よって、この左右の発光素子５６からは、リモコンの前面方向はもとよりその側面方向へも光信号の送信が可能であるので、リモコン５０は、衛生洗浄装置を遠隔操作可能とする設置位置の制約を受けにくい。このため、衛生洗浄装置に対するリモコン設置位置の自由度が高まり、好ましい。更に、左右の発光素子５６から衛生洗浄装置に信号送信可能とされていれば、ボタン操作時に使用者が一方の発光素子５６を手で遮ったとしても、何の支障なく衛生洗浄装置を遠隔操作できる。なお、発光素子５６は、リモコン本体上端の大小洗浄ボタンの下方に設置したりできることは勿論である。
【００９２】
このリモコン５０において、上記の指令テーブルは、電子制御装置７０のＲＯＭに予め記憶させておけばよい、または、衛生洗浄装置の側の電子制御装置のＲＯＭ等の記憶デバイスに記憶させておき、この指令テーブルを衛生洗浄装置の側から光信号にてリモコン５０に送信・記憶させるようにすることもできる。このように指令テーブルをリモコン５０に送信・記憶することにすれば、以下の利点がある。
【００９３】
衛生洗浄装置には、お尻洗浄・ビデ洗浄に関し、例えばムーブ機能の付加・削除、ノズル位置調整機能の付加・削除等、種々の仕様がある。そして、各仕様の機能実現のために、衛生洗浄装置に種々の機器が設置され、リモコンが用意される。この際、図３０のフローチャート実行のためのプログラムは、処理内容が指令信号の出力に係るものであることから、衛生洗浄装置の仕様に拘わらず共通化が可能である。これに対し、この信号出力のためにリモコンに必要とされる上記の指令テーブルは、衛生洗浄装置の仕様により個別に定まる。よって、個々のリモコンごとに、異なる上記の指令テーブルをプログラムに加えて書き込む必要がある。また、衛生洗浄装置の側にあっては、その仕様により異なる機能実現のためのプログラムが装置ごとに書き込まれる。よって、上記のように指令テーブルを衛生洗浄装置の側からリモコン５０に送信・記憶するようにすれば、装置の仕様ごとの書き込みは、衛生洗浄装置の側におけるプログラムと上記の指令テーブルで済み、リモコンについては書き込み内容を共通化できる。このため、リモコン製造上の利点がある。
【００９４】
また、衛生洗浄装置の仕様に応じてリモコンに必要となる操作ボタンの種類やその数も異なるので、装置仕様に応じて別々のボタン仕様のリモコンが用意されていた。しかしながら、上記したリモコン５０によれば、以下の利点がある。
【００９５】
まず、蓋体５２にあっては、装置仕様に応じた操作ボタンを有するものとする。例えば、気泡混入のやわらか洗浄機能が不要であれば、やわらか洗浄ボタン５２ｃを有しない蓋体５２とする。暖気や温度設定等についても同様である。リモコン本体５１にあっては、上記したフル仕様（図２５、図２９で示す仕様）と同一、より具体的には、上記各ボタン操作伝達部と各操作ボタン並びにスイッチ回路５７ａ１〜５７ａ１６を有する機器構成のリモコン本体５１とする。その一方、リモコン本体５１で不要とされた機能、例えば、節電関連機能に関する操作ボタンは、マスキング、文字やボタン枠の削除等により、停止ボタン操作伝達部等と同じ機能（スイッチ回路５７ａの押圧機能）とする。そして、上記の指令テーブルにおいて、削除された機能に関連する操作ボタン並びにボタン操作伝達部の指令内容をｎｕｌｌとする。例えば、やわらか洗浄機能と冷え込み防止機能並びに節電関連機能が削除された仕様であれば、図３２に示すように、これら各機能に対応する指令内容がｎｕｌｌとされた指令テーブルとする。なお、図３２においては、図３１と異なる指令内容について網掛け表示されている。
【００９６】
このようにすれば、削除された上記の各機能に応じた指令信号は、その内容がｎｕｌｌにつき、確実に送信されることがないばかりか、リモコン本体５１における機器構成を上記のように共通化できる。よって、リモコン製造の際の工程管理が簡略化してリモコン製造の上で利点がある。
【００９７】
なお、リモコン本体５１と蓋体５２の各操作ボタンのうちで操作されたボタンに対応した指令信号と特定できれば、上記した指令テーブルを用いない手法をとってもよいことは勿論である。
【００９８】
次に、他の衛生洗浄装置について説明する。図３３は、操作部３５を有する衛生洗浄装置１０Ｅをリモコンと共に表した要部斜視図、図３４、図３５は、この衛生洗浄装置１０Ｅの操作部３５の要部斜視図である。
【００９９】
これら図面に示すように、衛生洗浄装置１０Ｅは、その操作部３５の上面に、リモコンからの光信号を受けるリモコン受光部７２と、洗浄装置の運転状態を表示する表示部７３を備える。また、操作部３５の前端に、局部洗浄水の水勢を強弱設定する水勢調整ダイヤル７４を備え、操作部３５内部には、装置の制御を行う電子制御装置の他、ノズル関連部品以外の熱交換器等を有する。よって、衛生洗浄装置１０Ｅの本体１６には、ノズル装置３０やノズル駆動装置３１を収納すればよいことから、上記したように本体１６は小型化・スリム化されている。なお、既述したように本体１６の便座・便蓋支持体１７にリモコン受光部２２ｃや表示部２２ｂを設ける場合には、操作部３５における上記のリモコン受光部７２と表示部７３を省略してもよい。
【０１００】
水勢調整ダイヤル７４は、図中に黒塗り矢印で示すように回転操作されることにより水勢を強弱設定するよう構成されており、その設置位置である３５前端部は、便座に着座した使用者が自然に腕を降ろせば指先で触れることのできる位置である。よって、使用者は、上半身をひねったりするような無理な姿勢を採らないでも水勢調整ダイヤル７４を回転操作でき、容易に水勢調整を行うことができる。しかも、この水勢調整ダイヤル７４の回転操作に当たっては、自然に指先で当該ダイヤルを確認できるので、ダイヤルを見ながら回転操作する必要もなく好ましい。
【０１０１】
この水勢調整ダイヤル７４と表示部７３の間の操作部上面には、図３４に示すように凹所３５ａが形成されており、当該凹所には、この凹所部分に嵌り込むカバー３５ｂが装着されている。そして、この凹所３５ａの底部には、便座ヒータや室内暖房ヒータへの通電を夜間等の非使用時に間歇的に停止して節電を図る節電機能をオン／オフする節電ボタン７５ａと、上記の脱臭設定をオン／オフする脱臭ボタン７５ｂと、上記のノズル掃除動作をオン／オフするノズル掃除ボタン７５ｃと、装置全体の電源をオン／オフする電源ボタン７５ｄと、ボード装着センサ７６とが設置されている。これらボタンの下方には、図２９に示したようなスイッチ回路がそれぞれのボタンに対応して配設されており、このスイッチ回路を介して（スイッチ回路のオンを介して）各ボタンの押圧操作が電子制御装置に送られる。ボード装着センサ７６は、凹所底面から突出した検出部を有し、後述する汎用ボタンボード８１が凹所３５ａに嵌め込み装着されると、電子制御装置にボード装着信号（オン信号）を出力する。電子制御装置は、このボード装着センサ７６からのオン信号が未入力であれば、節電ボタン７５ａ等の上記各ボタンに応じた機能を果たすよう衛生洗浄装置の各機器を駆動制御する。また、汎用ボタンボード８１が凹所に装着されボード装着センサ７６からオン信号を入力すると、この汎用ボタンボード８１が有する後述の各ボタンに応じた機能を果たすよう衛生洗浄装置の各機器を駆動制御する。この際、汎用ボタンボード８１のボタン操作により凹所３５の上記各ボタンが押され、そのボタンのスイッチ回路からオン信号が電子制御装置に送られ、電子制御装置は、ボード装着センサ７６のオン信号と各スイッチ回路のオン信号により、汎用ボタンボード８１の各ボタンに応じた機能を実行させる。なお、カバー３５ｂが凹所３５ａに装着された場合にもボード装着センサ７６はオンとなるが、このカバーにより節電ボタン７５ａ等の上記各ボタンは操作不能（押圧不能）となるので支障はない。
【０１０２】
汎用ボタンボード８１は、操作部３５の上記の凹所３５とリモコン８０前面の凹所に、嵌め込み装着され、操作部３５並びにリモコン８０から取り外し自在とされている。この場合、汎用ボタンボード８１とその装着凹所には、傾斜面や異形嵌合部等を設けるといった誤装着防止処置が施されており、汎用ボタンボード８１は、図３３と図３５に示す方向でしか操作部３５とリモコン８０に装着されないようになっている。この汎用ボタンボード８１は、衛生洗浄装置の使用時に常用されるボタンとして、停止ボタン８１ａとお尻洗浄ボタン８１ｂとビデ洗浄ボタン８１ｃと乾燥ボタン８１ｄを備える。これらボタンは、図２８に示すように、その押圧操作により裏面突起を汎用ボタンボード８１の裏面から突出させるに過ぎず、この汎用ボタンボード８１にあっても電気的な構成は一切有しない。また、ボタン形成面、即ち汎用ボタンボード８１の前面は、樹脂シートにて防水処置が施されている。
【０１０３】
リモコン８０は、その前面に汎用ボタンボード８１を嵌め込み装着可能に備え、その装着凹所底面に、当該ボードの上記各ボタンが押圧されると押し下げられるボタン操作伝達部を、汎用ボタンボード８１の各操作ボタンに対応して有する。また、リモコン本体内に、このボタン操作伝達部の押し下げによりオンするスイッチ回路を各ボタン操作伝達部に対応して有する。そして、リモコン８０は、汎用ボタンボード８１の上記各操作ボタンに応じた指令信号、停止ボタン８１ａであれば停止指令信号、お尻・ビデの洗浄ボタンや乾燥ボタンでは洗浄開始指令信号や乾燥開始指令信号を、衛生洗浄装置のリモコン受光部に送信する。この信号を受けた衛生洗浄装置１０Ｅでは、その有する電子制御装置により、各指令信号に応じて各機器を駆動制御し、局部洗浄等を実施する。なお、リモコン８０からノズル位置調整指令等を送信するよう構成する場合には、リモコン８０に汎用ボタンボード８１の装着を検出するセンサを設け、リモコン８０における上記のボタン操作伝達部をノズル位置調整ボタンとして表示等して使用すればよい。そして、汎用ボタンボード８１が未装着の時（センサオフ）にこのノズル位置調整ボタンの操作を経てリモコン８０からその指令信号（ノズル位置調整指令信号等）を送信するよう構成すればよい。
【０１０４】
この衛生洗浄装置１０Ｅでは、リモコン８０に装着して用いられる汎用ボタンボード８１に、装置使用上の常用ボタンしか配置しない。よって、個々の操作ボタンを大きくでき、お年寄りや子供であっても使い勝手がよい。また、この汎用ボタンボード８１をリモコン８０と操作部３５に取り外し自在としたので、以下の利点がある。
【０１０５】
▲１▼汎用ボタンボード８１が取り外し自在であることに加えて、汎用ボタンボード８１前面のボタン形成面（操作面）は防水されているので、この汎用ボタンボード８１をリモコン８０から取り外して念入りに水洗いできる。このため、常時操作される汎用ボタンボード８１の操作面を常に清潔にでき好ましい。また、この水洗いの際に汎用ボタンボード８１のボタンが押されても、リモコン８０は、汎用ボタンボード８１が未装着に付き何らの指令信号を送信しない。よって、無駄な信号送信がなくなりリモコン８０の電源（電池）の電力消費を抑制できる。
【０１０６】
▲２▼衛生洗浄装置１０Ｅが使用される一般家庭では、その家族構成は様々であり、お年寄りしかいない家族やいわゆる２世代、３世代の家族の他、一人しかいない場合もある。よって、衛生洗浄装置１０Ｅの使用形態も家族構成等によって異なり、装置の購入当初にはリモコン８０による遠隔操作を必要としないが、購入後にリモコン８０による遠隔操作を所望する場合がある。このような場合、従来は、停止ボタンや洗浄ボタンを備えた操作部３５を有する衛生洗浄装置とは別に、停止ボタンや洗浄ボタンを備えたリモコン８０を提供していた。ところが、上記の衛生洗浄装置１０Ｅでは、汎用ボタンボード８１を有しないリモコン８０を提供すればよく、汎用ボタンボード８１は操作部３５のものを代用できる。よって、衛生洗浄装置並びにリモコンの製造に際し、衛生洗浄装置とリモコンとも汎用ボタンボード８１のない仕様、即ち部品数の少ない仕様にできるので、工程管理の簡略化が可能となり製造上の利点がある。
【０１０７】
上記した衛生洗浄装置１０Ｅにおけるリモコン８０のように汎用ボタンボード８１を取り外し自在のものは、次のように変形することができる。図３６は、変形例のリモコン８０Ａの概略斜視図である。
【０１０８】
近年では、衛生洗浄装置に限らずビデオ等の家電製品では、製品の付加価値向上のため種々の機能が追加されつつある。例えば、衛生洗浄装置では、気泡混入洗浄水を噴出して多様な洗浄感を与えることがある。また、ビデオでは、出力映像信号に輪郭強調、コントラスト調整、画面表示モード設定（ワイド表示・ノーマル表示等）等の画像信号処理を施してモニタ画面の多様化・高機能化が図らたり、内蔵チューナーでの文字放送の受信状況を設定したりして受信機能の高機能化が図られるようになってきている。しかしながら、このような高付加的な機能は、一旦設定されればそれほど変更する必要はなく、機能理解や操作方法の理解が浅い子供やお年寄りにとっては、高付加機能のリモコンによる遠隔操作は無用に近い。また、子供等にむやみに設定操作させることは、誤設定に繋がることから好ましくない。よって、これら高付加機能設定に関する操作ボタンは、図２７で示したように、蓋体で通常は塞がれているリモコン本体に設けることが一般的であった。しかしながら、蓋体を開けば、リモコン本体の操作ボタンは操作可能であることから、誤設定を招くことがあった。
【０１０９】
図３６に示すリモコン８０Ａは、複数の汎用ボタンボード８１Ａ、８１Ａ’・・・を常に正しい向きで装着凹所８０ａに取り外し自在に備える。このリモコン８０Ａは、当該凹所に、汎用ボタンボード装着を検出するボード装着センサ８２と、汎用ボタンボードの各ボタンが押圧されると押し下げられるボタン操作伝達部８３ａ〜８３ｄと、装着された汎用ボタンボードを識別するボード識別センサ８４とを有する。また、リモコン８０Ａは、その内部に、上記の各ボタン操作伝達部の押し下げによりオンするスイッチ回路（図示省略）を各ボタン操作伝達部に対応して有する。ボード識別センサ８４は、ボタンボード未装着時に上記の各ボタン操作伝達部が誤って押圧されても、光信号を送信しないようにするために用いられる。ボード識別センサ８４は、各ボード裏面に表示された識別記号を読み取り判読して装着されたボードを識別するためのものであり、例えばバーコードリーダ等を用いることができる。
【０１１０】
汎用ボタンボード８１Ａ、８１Ａ’等は、上記の各ボタン操作伝達部に対応した操作ボタンを備える。例えば、ビデオに用いるリモコンであれば、汎用ボタンボード８１Ａは、ビデオ操作の常用ボタンである再生ボタン、停止ボタン、早送りボタン、巻き戻しボタンを有する。汎用ボタンボード８１Ａ’は、常用されることがないワイド表示モード設定ボタン、標準表示モード設定ボタン、内蔵チューナーの文字放送受信設定ボタン、Ｓ−ＶＨＳ対応設定ボタン（オン／オフ設定ボタン）を有する。
【０１１１】
そして、リモコン８０Ａは、次のようにして各汎用ボタンボードのボタン操作に応じた指令信号をビデオ本体に送信する。まず、リモコン８０Ａは、内蔵する図示しない電子制御装置により、ボード識別センサ８４の検出結果から、どの汎用ボタンボードが装着されたかを判断する。そして、その判断した汎用ボタンボードの有するボタンに応じた指令信号を光送信する。例えば、装着された汎用ボタンボードが汎用ボタンボード８１Ａであれば、再生ボタン、停止ボタン、早送りボタン、巻き戻しボタンのうちで使用者に操作されたボタンに応じた指令信号（再生指令、停止指令、早送り指令、巻き戻し指令）を送信する。ビデオ本体側では、この送信を受けた指令に応じてビデオ構成機器が駆動制御される。また、汎用ボタンボード８１Ａ’であれば、ワイド表示切替指令、標準表示切替指令、文字放送受信指令、Ｓ−ＶＨＳオン指令／オフ指令等の指令信号を送信する。
【０１１２】
このリモコン８０Ａでは、汎用ボタンボード８１Ａを通常はリモコン８０Ａに装着しておくことで、ビデオ使用時に常時必要とされる遠隔操作を何の支障もなく行うことができる。また、汎用ボタンボード８１Ａ’に取り換えることで、通常は必要のない機器設定を何の支障もなく遠隔操作することができる。そして、汎用ボタンボード８１Ａ’を取り外し保管しておくことで、ビデオ機器の誤設定を有効に回避することができ好ましい。なお、ビデオに限らず、その他の家電製品や衛生洗浄装置にこのリモコン８０Ａを適用することができる。また、ビデオ本体や家電製品本体並びに衛生洗浄装置本体に、ボード識別センサ８４を設けて複数の汎用ボタンボードを装着するように構成し、本体側での機器設定・動作指令を各汎用ボタンボードごとに行うようにすることもできる。こうすれば、本体側でも誤設定等を招くことがない。更に、汎用ボタンボードをオプションとして用意し、機能追加を図るようにすることもできる。また、衛生洗浄装置に適用した場合にあっては、各使用者ごとに汎用ボタンボードを取り換え、その使用者にカスタマイズされた様式で局部洗浄を行うようにすることもできる。例えば、男性使用者には、ビデ洗浄は不要であるので、この男性使用者の用いる汎用ボタンボードでは、お尻洗浄ボタン、乾燥ボタン、停止ボタンと、水勢を指定する水勢指定ボタンとする。そして、この汎用ボタンボードを識別して、そのボタン操作に応じた動作指令（お尻洗浄指令、乾燥指令、停止指令、水勢指定指令）を衛生洗浄装置の側に送信する。なお、水勢の指定は、図示しない水勢調整ボタン等の操作を経てリモコンが設定し、その設定値をこの汎用ボタンボードの水勢指定ボタンによる値として記憶するようにすればよい。
【０１１３】
また、リモコン８０Ａは、次のような応用も可能である。近年では、光ファイバ等のケーブルを利用して双方向送受信可能なテレビシステムが提案されている。このようなシステムでは、視聴者の側から物品購入の信号を送ることで、商品売買が可能である。しかし、蓋により通常は隠されたボタンにこの購入信号送信の機能を持たせただけでは、上記したように誤送信を起こすことがある。よって、取り外し保管が可能な特定の汎用ボタンボードに購入信号送信等の機能を持たせれば、子供等による誤送信を確実に回避でき好ましい。
【０１１４】
次に、上記した各衛生洗浄装置やビデオ、テレビ等の家電製品に適用可能なリモコンの変形例について説明する。図３７は、衛生洗浄装置に適用した変形例のリモコン９０の概略斜視図、図３８は、その要部断面図である。
【０１１５】
近年では、お年寄りや身体機能（例えば、腕の上げ下ろし等）に麻痺がある人であってもボタン操作がしやすいよう、個々のボタンを大きくすることが行われている。図３７に示すように、リモコン９０は、お尻洗浄ボタン９０ａ、乾燥ボタン９０ｂ、停止ボタン９０ｃ、ビデ洗浄ボタン９０ｄを正面ケース９２に備え、各ボタンは、リモコン正面の大部分を占めるような大きさで突出形成されている。これらボタンは、可撓性をもって形成されており、図３８に示すように、押圧操作されると裏面の突起９３をスプリング９３ａに抗して押し下げ、スイッチ回路９４をオンするように構成されている。これにより、リモコン９０は、そのボタンに応じた指令信号を送信する。
【０１１６】
また、リモコン９０は、その上端に、上記したように異なる大きさとされた大洗浄ボタン９５と小洗浄ボタン９６を並べて備え、リモコン上端は、この両洗浄ボタンで占められている。各洗浄ボタンは、リモコン９０の裏面ケース９１の上端にて揺動可能に支持されており、ボタン上面あるいはボタン正面が押圧操作されると、裏面の突起９７をスプリング９７ａに抗して押し下げ、スイッチ回路９８をオンするように構成されている。これにより、リモコン９０は、そのボタンに応じた指令信号を送信する。
【０１１７】
このように各ボタンを大きくし各ボタンでリモコン各所を占有させると、光信号の送信場所がなくなることから、従来は、リモコン下端をもう少し長く形成し、当該下端部に光信号送信部（ＬＥＤ）を設けていた。しかし、この実施例では、図示するように、大洗浄ボタン９５と小洗浄ボタン９６の内側に、送信部９９ａ〜９９ｃを有する。このうち、送信部９９ａ、９９ｃは、リモコン側面方向への信号放出を意図して外向きに内蔵されており、送信部９９ｂは、リモコン正面方向への信号放出を意図して内蔵されている。そして、これら送信部を外部から覆う大洗浄ボタン９５と小洗浄ボタン９６は、ＬＥＤから構成された送信部９９ａ〜９９ｃの発する光を選択的に透過させるよう着色された透光性部材から形成されている。このため、上記の各ボタンが操作されたときの指令信号は、大洗浄ボタン９５あるいは小洗浄ボタン９６を透過して衛生洗浄装置の側に送信される。なお、この大小洗浄ボタンは、該当する送信部と対向する正面並びに側面が透光性を呈するようにされていればよく、ボタン機能を表す文字や絵柄（図では「大」、「小」の文字）の視認性を高めるため、ボタン上面を着色して非透光性とすることもできる。この場合には、二色成形等の適宜な樹脂成形手法を採って、ボタン上面を非透光性とし、側面と正面を透光性とすればよい。
【０１１８】
このような構成のリモコン９０では、各ボタンを操作が容易となるように大きく形成しても、光信号送信部の設置のためだけのスペースを必要としないので、リモコンの小型化を図ることができる。また、リモコン正面と側面に信号を発するので、衛生洗浄装置に対するリモコンの設置場所の自由度を高めることができる。更に、送信部９９ａ〜９９ｃを、通常の装置使用時にあっては当時に操作され得ない大洗浄ボタン９５と小洗浄ボタン９６でそれぞれ覆うようにした。このため、一方の洗浄ボタン（例えば大洗浄ボタン９５）の操作の際に使用者の手や指でこの洗浄ボタンが覆わせても、他方の洗浄ボタンは露出状態にあるので、光信号送信に特段の支障が無い。よって、確実に信号送信できる。なお、送信部をリモコン正面の上記各ボタンの裏面に内蔵するようにすることもできる。この場合も、通常の装置使用時にあっては当時に操作され得ないボタン（例えば、停止ボタン９０ｃとお尻洗浄ボタン９０ａ）の裏面に内蔵するようにすればよく、各ボタンを上記のように透光性を持たせればよい。また、停止ボタン９０ｃと乾燥ボタン９０ｂのように、リモコン正面で対角に位置する両ボタンの裏面に内蔵するようにすることもできる。上記した構成のリモコン９０は、衛生洗浄装置に限らず、ビデオ等の家電製品にも適用できる。
【０１１９】
次に、衛生洗浄装置に適用した場合のようにリモコンを壁面設置する場合の実施例について説明する。図３９と図４０は、従来のリモコン設置方法を説明する説明図、図４１は、実施例の設置方法を説明する説明図である。
【０１２０】
図３９や図４０に示すように、リモコンＲ（上記各実施例のリモコンでもよく、既存のリモコンでもよい）は、特に衛生洗浄装置に用いるリモコンＲは、その使用形態からトイレ壁面に設置され、その際、リモコンを保持するホルダーＨが用いられている。これら図面に示す従来のホルダーＨは、リモコンＲを上下に抜き差しできるよう、あるいは、正面から嵌め込み装着できるように形成されており、トイレ壁面に固定される。
【０１２１】
トイレは、その大きさが各家庭によって大きく異なるので、使用者が着座姿勢を採ったり便座から立ち上がったりする際に、肩や肘等をホルダーＨの側面にぶつけることがあった。こうした事態に至ると、その衝撃によりリモコンをホルダーから落としてしまい、機器の損傷を招くことがあった。
【０１２２】
図４１に示す実施例のホルダーＨＪは、リモコンＲを保持した際の下端・両側面に、傾斜面ＫＭを有する。よって、使用者が肩や肘等をホルダーＨＪのこの傾斜面ＫＭにぶつけても、その際の力は傾斜面に沿って分解され、リモコンＲには僅かしか伝わらない。よって、リモコンの脱落を有効に防止でき、脱落による機器損傷を回避することができる。また、壁面から連続した傾斜面ＫＭでリモコンＲが囲まれていることから、使用者に圧迫感を比較的与えることが無く好ましい。更に、この傾斜面ＫＭをトイレ壁面に合わせて塗装したりすれば、一体感が増し意匠性も高まる。
【０１２３】
なお、リモコンＲがリモコン５０のようにその下端で蓋を開閉できる構成のものであれば、図４１に示す下端の斜面領域ＳＲＫを切り欠けばよい。また、リモコン５０のように、その側面からも光信号送信が可能な構成であれば、その送信場所と重なる両端の斜面領域ＳＲＨを透光性の部材としたり切り欠けばよい。更に、リモコンの蓋体が開閉のためのつまみを有するものであれば、そのつまみと干渉する位置の側面斜面領域ＳＲＴを切り欠けばよい。
【０１２４】
以上本発明の実施例について説明したが、本発明は上記の実施例や実施形態になんら限定されるものではなく、本発明の要旨を逸脱しない範囲において種々なる態様で実施し得ることは勿論である。
【０１２５】
例えば、各衛生洗浄装置とも、ノズル装置３０等による局部洗浄機能を有するものについて説明したが、この局部洗浄機能を有せず、温風ファン３３による使用者の背中暖気を図るようにした便座装置あるいは便蓋装置とすることもできる。
【図面の簡単な説明】
【図１】便蓋並びに便座を支持すると共に洗浄水による人体局部の洗浄を行う実施例の衛生洗浄装置１０の外観を表わす概略斜視図である。
【図２】この衛生洗浄装置１０の六面図のうち正面並びに背面と左右側面を示し、図２（Ａ）はその正面図を、図２（Ｂ）は右側面図を、図２（Ｃ）は背面図を、図２（Ｄ）は左側面図をそれぞれ表す説明図である。
【図３】同じく衛生洗浄装置１０の六面図のうち上面並びに底面を示し、図３（Ａ）は上面図を、図３（Ｂ）は底面図をそれぞれ表す説明図である。
【図４】衛生洗浄装置１０における本体１６の概略斜視図である。
【図５】この本体１６の側面図である。
【図６】本体１６の中央概略断面図である。
【図７】曲面部１７ｂに設ける人体検出センサ２２ａや表示部２２ｂ、リモコン受光部２２ｃ並びに開口１７ｃの設置範囲Ｘを説明するための説明図である。
【図８】便蓋１２の要部を破断して示す要部破断図である。
【図９】図８の右方向矢視図であり回転軸部材４０を介した便座・便蓋支持体１７への回転軸支の様子を説明する説明図である。
【図１０】便座１４の概略斜視図である。
【図１１】便座１４の要部を破断して示す要部破断図である。
【図１２】局部洗浄に関与する衛生洗浄装置１０の概略機器構成を模式的に表したブロック図である。
【図１３】この衛生洗浄装置１０の制御系を表わしたブロック図である。
【図１４】便座・便蓋支持体１７に近接対向した便蓋１２，便座１４の端部１２ｄ、１４ｄと、この便座・便蓋支持体１７との関係を説明する説明図である。
【図１５】便蓋１２が開状態にある場合の概略斜視図である。
【図１６】便蓋１２と共に便座１４が開状態にある場合の概略斜視図である。
【図１７】変形例の衛生洗浄装置１０Ａの概略斜視図である。
【図１８】洋式便器Ｔに配設された他の変形例の衛生洗浄装置１０Ｂの概略斜視図である。
【図１９】この衛生洗浄装置１０Ｂの概略縦断面図である。
【図２０】便蓋１２を開いた状態の衛生洗浄装置１０Ｂの概略斜視図である。
【図２１】便蓋１２並びに便座１４を開いた状態の衛生洗浄装置１０Ｂの概略斜視図である。
【図２２】局部洗浄機能を後付けする変形例の衛生洗浄装置１０Ｃが配設された洋式便器Ｔの概略斜視図である。
【図２３】別の変形例の衛生洗浄装置１０Ｄの概略斜視図である。
【図２４】また別の変形例の衛生洗浄装置の要部拡大断面図である。
【図２５】上記の各衛生洗浄装置１０に適用したリモコン５０の正面図である。
【図２６】蓋体５２の開閉機構を説明する要部斜視図である。
【図２７】蓋体５２を開いた状態のリモコン５０の正面図である。
【図２８】蓋体５２における停止ボタン５２ａ等のボタンの要部拡大断面図である。
【図２９】リモコン５０の制御系を表すブロック図である。
【図３０】リモコン５０で実行される指令信号出力処理を表すフローチャートである。
【図３１】この指令信号出力処理の内容を説明するための説明図である。
【図３２】やわらか洗浄機能と冷え込み防止機能並びに節電関連機能が削除された仕様における指令信号出力処理の内容を説明するための説明図である。
【図３３】操作部３５を有する衛生洗浄装置１０Ｅをリモコンと共に表した要部斜視図である。
【図３４】この衛生洗浄装置１０Ｅの操作部３５の要部斜視図である。
【図３５】同じく操作部３５の要部斜視図である。
【図３６】変形例のリモコン８０Ａの概略斜視図である。
【図３７】衛生洗浄装置に適用した変形例のリモコン９０の概略斜視図である。
【図３８】その要部断面図である。
【図３９】従来のリモコン設置方法を説明する説明図である。
【図４０】同じく従来のリモコン設置方法を説明する説明図である。
【図４１】実施例のリモコン設置方法を説明する説明図である。
【符号の説明】
１０，１０Ａ〜１０Ｅ…衛生洗浄装置
１２…便蓋
１２ａ…蓋部分
１２ｂ…便蓋支持部
１２ｃ…連結部
１２ｄ…端部
１２ｅ…カバー部
１２ｆ…肉厚端部
１２ｇ…嵌合孔
１２ｈｋ…円弧軌跡
１３ａ，１５ａ…スイーパー
１３ｂ，１５ｂ…ブラシ
１４…便座
１４ａ…便座部分
１４ｂ…便座支持部
１４ｃ…連結部
１４ｄ…端部
１４ｅ…鞍部
１４ｋ…嵌合孔
１６…本体
１６ａ…底部部材
１６ｂ…本体壁面部材
１６ｃ…傾斜面
１７…便蓋支持体
１７ａ…嵌合孔
１７ｂ…曲面部
１７ｃ…開口
１７ｄ…温風管路
１８…カバー
１８ａ…開口
２２ａ…人体検出センサ
２２ｂ…表示部
２２ｃ…リモコン受光部
３０…ノズル装置
３１…ノズル駆動装置
３１ａ…ノズル駆動モータ
３２…熱交換器
３２ａ…流量調整弁
３３…温風ファン
３３ａ…温風吹出口
３３ｂ…温風管路
３４…電子制御装置
３５…凹所
３５…操作部
３５ａ…凹所
３５ｂ…カバー
３６…電磁止水弁
３６ａ…定流量弁
３７…ヒータ
３８…入水温度センサ
３９…吐水温度センサ
４０…回転軸部材
４０ａ…軸部分
４０ｂ…第１外筒軸部分
４０ｃ…第２外筒軸部分
５０…リモコン
５１…リモコン本体
５１ａ…大洗浄ボタン
５１ｂ…小洗浄ボタン
５１ｃ…停止ボタン操作伝達部
５１ｄ…暖房タイマーボタン
５１ｅ…運転時間設定ボタン
５１ｆ…室内暖房ボタン
５１ｇ…開閉センサ
５１ｈ…節電タイマーボタン
５１ｉ…節電時間設定ボタン
５１ｊ…節電ボタン
５１ｋ…強弱設定ボタン操作伝達部
５１ｎ…高低設定ボタン操作伝達部
５１ｑ…脱臭ボタン
５１ｒ…ノズル掃除ボタン
５１ｓ…切替ボタン操作伝達部
５１ｔ…防止ボタン
５１ｕ…暖気ボタン操作伝達部
５２…蓋体
５２ａ…停止ボタン
５２ｂ…尻洗浄ボタン
５２ｃ…洗浄ボタン
５２ｄ…ビデ洗浄ボタン
５２ｅ…ムーブ設定ボタン
５２ｆ…マッサージ設定ボタン
５２ｇ…ムーブ設定ボタン
５２ｈ…水勢設定ボタン
５２ｉ…温度設定ボタン
５２ｊ…切替ボタン
５２ｋ…ノズル位置調節ボタン
５２ｍ…乾燥ボタン
５２ｎ…暖気ボタン
５３…窓部
５５…裏面突起
５６…発光素子
５７…突起
５７ａ…スイッチ回路
５７ａ１〜５７ａ１６…スイッチ回路
５８…スモーク窓部
６２…表示部
６４…ヒンジピン
７０…電子制御装置
７１ａ…尻洗浄ボタン
７１ｂ…ビデ洗浄ボタン
７１ｃ…停止ボタン
７１ｄ…マッサージ設定ボタン
７１ｅ…ムーブ設定ボタン
７１ｇ…吐水温設定ボタン
７１ｈ…背中暖気ボタン
７１ｉ…乾燥ボタン
７１ｊ…水量設定ボタン
７２…リモコン受光部
７３…表示部
７４…水勢調整ダイヤル
７５ａ…節電ボタン
７５ｂ…脱臭ボタン
７５ｃ…ノズル掃除ボタン
７５ｄ…電源ボタン
７６…ボード装着センサ
８０…リモコン
８０Ａ…リモコン
８０ａ…装着凹所
８１…汎用ボタンボード
８１Ａ…汎用ボタンボード
８１ａ…停止ボタン
８１ｂ…尻洗浄ボタン
８１ｃ…ビデ洗浄ボタン
８１ｄ…乾燥ボタン
８２…ボード装着センサ
８３ａ〜８３ｄ…ボタン操作伝達部
８４…ボード識別センサ
９０…リモコン
９０ａ…尻洗浄ボタン
９０ｂ…乾燥ボタン
９０ｃ…停止ボタン
９０ｄ…ビデ洗浄ボタン
９１…裏面ケース
９２…正面ケース
９３…突起
９３ａ…スプリング
９４…スイッチ回路
９５…大洗浄ボタン
９６…小洗浄ボタン
９７…突起
９７ａ…スプリング
９８…スイッチ回路
９９ａ〜９９ｃ…送信部
１００…キャビネット
１０１…開閉扉
１０３…スチールベルト
１０４…機能部品収納ボックス
１０５…給水管
１０６…温水管
１０７…信号配線
Ｈ…ホルダー
ＨＪ…ホルダー
ＫＪ…回転中心軸
ＫＭ…傾斜面
Ｒ…リモコン
ＳＲＨ…斜面領域
ＳＲＫ…斜面領域
ＳＲＴ…側面斜面領域
ＳＴ…貯留タンク
Ｔ…洋式便器
【図１】
0003714001.tif 000002
【図２】
0003714001.tif 000003
【図３】
0003714001.tif 000004
【図４】
0003714001.tif 000005
【図５】
0003714001.tif 000006
【図６】
0003714001.tif 000007
【図７】
0003714001.tif 000008
【図８】
0003714001.tif 000009
【図９】
0003714001.tif 000010
【図１０】
0003714001.tif 000011
【図１１】
0003714001.tif 000012
【図１２】
0003714001.tif 000013
【図１３】
0003714001.tif 000014
【図１４】
0003714001.tif 000015
【図１５】
0003714001.tif 000016
【図１６】
0003714001.tif 000017
【図１７】
0003714001.tif 000018
【図１８】
0003714001.tif 000019
【図１９】
0003714001.tif 000020
【図２０】
0003714001.tif 000021
【図２１】
0003714001.tif 000022
【図２２】
0003714001.tif 000023
【図２３】
0003714001.tif 000024
【図２４】
0003714001.tif 000025
【図２５】
0003714001.tif 000026
【図２６】
0003714001.tif 000027
【図２７】
0003714001.tif 000028
【図２８】
0003714001.tif 000029
【図２９】
0003714001.tif 000030
【図３０】
0003714001.tif 000031
【図３１】
0003714001.tif 000032
【図３２】
0003714001.tif 000033
【図３３】
0003714001.tif 000034
【図３４】
0003714001.tif 000035
【図３５】
0003714001.tif 000036
【図３６】
0003714001.tif 000037
【図３７】
0003714001.tif 000038
【図３８】
0003714001.tif 000039
【図３９】
0003714001.tif 000040
【図４０】
0003714001.tif 000041
【図４１】
0003714001.tif 000042